(57)【要約】水崩壊性トリートメント源から連続用量の水分散トリートメントを送達するように構成されたハンドヘルドシャワーヘッドであって、シャワーヘッドは、水入口開口部と、水出口とを有する中空本体であって、水出口は、有孔板によって画定されている、中空本体と、水入口開口部と有孔板との間の中空本体内に配置されたメッシュ構造物とを含み、水入口開口部、中空本体、および有孔板は、使用時、有孔板を通って退出することに先立って、中空本体内で加圧乱流水流を生成するように構成され、それによって、使用に先立ち中空本体の中に導入された水崩壊性錠剤トリートメント源が、次いで、乱流水流によって、すり減る様式でメッシュに対して攪拌され、それによって、有孔板から退出する水流中に分散させられる。乳化剤と、増粘剤と、界面活性剤と、油と、レオロジー改質剤とを含む、水崩壊性錠剤も、開示される。
2020507367.tif 000002
【特許請求の範囲】
【請求項１】
水崩壊性錠剤形態トリートメント源から連続用量の水分散トリートメントを送達するように構成されたハンドヘルドシャワーヘッドであって、前記シャワーヘッドは、
１つの領域における水入口開口部と別の領域における水出口とを有する中空本体であって、前記水出口は、有孔板によって画定されている、中空本体と、
前記水入口開口部と前記有孔板との間の前記中空本体内に配置されたメッシュ構造物と
を含み、
前記水入口開口部、中空本体、および有孔板は、使用時、水流が前記有孔板を通って退出することに先立って、前記中空本体内で加圧乱流水流を生成するように構成され、それによって、好適に構成された水崩壊性固体錠剤形態トリートメント源が、使用に先立ち前記中空本体の中に導入され、そして、前記トリートメント源は、前記乱流水流によって、すり減る様式で前記メッシュ構造物に対して攪拌され、それによって、前記有孔板から退出する前記水流中に分散させられる、シャワーヘッド。
【請求項２】
前記メッシュ構造物は、固定メッシュ構造物であり、前記メッシュ構造物は、前記有孔板に隣接して配置されているが、それからわずかに間隔を置かれている、請求項１に記載のシャワーヘッド。
【請求項３】
前記固定メッシュ構造物は、前記有孔板から離れるほうに開いているボウル様クレードル部分を画定するように構成され、前記クレードル部分は、適切にサイズを決定および成形されたトリートメント錠剤が前記シャワーヘッド内に最初に挿入されるとき、前記錠剤が前記有孔板に向かって移動するように前記錠剤を配置するように作動する、請求項２に記載のシャワーヘッド。
【請求項４】
前記メッシュ構造物は、前記錠剤をカプセルに包み、ポッドを形成するように構成され、それによって、前記メッシュポッド全体が、前記乱流内で移動し、前記錠剤は、すり減る様式で前記メッシュポッド内で移動し、それによって、前記錠剤は、前記有孔板から退出する前記水流中に分散させられる、請求項１に記載のシャワーヘッド。
【請求項５】
前記水入口開口部は、前記有孔板に略平行であり、それから間隔を置かれた平面内で前記中空本体の中に水を送達するように構成されている、請求項１−４のいずれか１項に記載のシャワーヘッド。
【請求項６】
前記中空本体の内部形状は、回転水流路が作成されるように構成され、前記回転水流路は、少なくとも部分的に前記板に接線方向に前記本体内で周回する、請求項１−５のいずれか１項に記載のシャワーヘッド。
【請求項７】
前記メッシュは、前記中空本体内の通常の流動、および前記有孔板を通した通常の流動に最小の乱れを提供するように構成されている、請求項１−６のいずれか１項に記載のシャワーヘッド。
【請求項８】
前記水流を曝気する手段をさらに備えている、請求項１−７のいずれか１項に記載のシャワーヘッド。
【請求項９】
前記有孔板は、空気を前記中空本体の中に取り込むように構成されている、請求項８に記載のシャワーヘッド。
【請求項１０】
前記中空本体の上流に位置する前処理チャンバ内に微粒子状物質を閉じ込めるように配置することによって曝気が達成され、それによって、前記微粒子状物質の周囲でのこのチャンバを通した水の通行は、空気の気泡が作成されることを引き起こし、前記空気の気泡は、前記水とともに前記中空本体の中に入る、請求項８または請求項９に記載のシャワーヘッド。
【請求項１１】
前記微粒子状物質は、その性質を強化するために前記水と相互作用もする材料を含む、請求項１０に記載のシャワーヘッド。
【請求項１２】
不要な不純物を濾過して除去する手段をさらに備えている、請求項１−１１のいずれか１項に記載のシャワーヘッド。
【請求項１３】
使用時、前記水が上側領域から前記中空本体に進入し、それによって、滝様流れを作成し、次に、前記滝様流れが、前記中空本体内の下側のぬれた面と衝突することによってレナード効果を強化し、負イオンを生産するように構成されている、請求項１−１２のいずれか１項に記載のシャワーヘッド。
【請求項１４】
前記シャワーヘッドおよびその中で使用される崩壊性錠剤は、典型的な圧力および毛髪洗浄温度における温水供給源との使用中、錠剤が、約２〜４分で崩壊し、水分散トリートメントの流動をユーザに提供するように構成されている、請求項１−１３のいずれか１項に記載のシャワーヘッド。
【請求項１５】
乳化剤と、増粘剤と、油と、レオロジー改質剤とを含む水崩壊性錠剤。
【請求項１６】
レオロジー改質剤は、カルボマー、グリセロールエステル、およびポリエチレングリコールから成る群から選択される水溶性有機分子である、請求項１５に記載の錠剤。
【請求項１７】
３０％〜４５％（重量比）ポリエチレングリコールを含む、請求項１６に記載の錠剤。
【請求項１８】
少なくとも１つの非イオン性乳化剤と、１つのカチオン性乳化剤とを含む、請求項１５−１７のいずれか１項に記載の錠剤。
【請求項１９】
セテアリルアルコール、セテアレス、Ｔｗｅｅｎ乳化剤、ノニルフェニルエトキシレート、アルコールアルコキシレート、アルコールエトキシレート、および第４級アンモニウム化合物から成る群から選択される２つ以上の異なる乳化剤を含む、請求項１８に記載の錠剤。
【請求項２０】
前記錠剤中の乳化剤の全濃度は、約１０％〜２０％（重量比）である、請求項１８または請求項１９に記載の錠剤。
【請求項２１】
前記増粘剤は、脂質が豊富な作用物質である、請求項１５−２０のいずれか１項に記載の錠剤。
【請求項２２】
前記脂質が豊富な作用物質は、水添ヒマシ油である、請求項２１に記載の錠剤。
【請求項２３】
１％〜１０％水添ヒマシ油を含む、請求項２２に記載の錠剤。
【請求項２４】
前記油は、植物油である、請求項１５−２３のいずれか１項に記載の錠剤。
【請求項２５】
ココナッツ油、マカダミア油、シア油／バター、オリーブ油、マルラ油、ペパーミント油、麦芽油、アルガン油、ツバキ油、ヒマシ油、ホホバ油、ラズベリー種子油、およびニンジン種子油から成る群から選択される少なくとも１つの植物油を含む、請求項２４に記載の錠剤。
【請求項２６】
軟化剤をさらに含む、請求項１５−２５のいずれか１項に記載の錠剤。
【請求項２７】
保存剤をさらに含む、請求項１５−２６のいずれか１項に記載の錠剤。
【請求項２８】
ＵＶＲフィルタリング剤をさらに含む、請求項１５−２７のいずれか１項に記載の錠剤。
【請求項２９】
非イオン性乳化剤と、カチオン性乳化剤と、水溶性有機レオロジー改質剤と、脂質が豊富な増粘剤と、タンパク質抽出物と、タンパク質が豊富な油と、少なくとも１つの他の植物油とを含む、請求項１５に記載の錠剤。
【請求項３０】
約１０％〜１５％（重量比）の濃度における非イオン性乳化剤と、約５％〜１０％（重量比）の濃度におけるカチオン性乳化剤と、約４０％〜４５％（重量比）の濃度における水溶性有機レオロジー改質剤と、約１％〜３％（重量比）の濃度における脂質が豊富な増粘剤と、約０．５％〜２％（重量比）の濃度におけるタンパク質抽出物と、約１％〜５％（重量比）の濃度におけるタンパク質が豊富な油と、約５％〜１５％（重量比）の濃度における少なくとも１つの他の植物油とを含む、請求項２９に記載の錠剤。
【請求項３１】
非イオン性乳化剤と、カチオン性乳化剤と、水溶性有機レオロジー改質剤と、脂質が豊富な増粘剤と、植物油と、ＵＶＲフィルタリング剤とを含む、請求項１５に記載の錠剤。
【請求項３２】
約１０％〜１５％（重量比）の濃度における非イオン性乳化剤と、約５％〜１０％（重量比）の濃度におけるカチオン性乳化剤と、約４０％〜４５％（重量比）の濃度における水溶性有機レオロジー改質剤と、約１％〜３％（重量比）の濃度における脂質が豊富な増粘剤と、約０．５％〜２％（重量比）の濃度におけるＵＶＲフィルタリング剤と、約１０％〜２０％（重量比）の濃度における植物油とを含む、請求項３１に記載の錠剤。
【請求項３３】
非イオン性乳化剤と、カチオン性乳化剤と、水溶性有機レオロジー改質剤と、脂質が豊富な増粘剤と、植物油とを含む、請求項１５に記載の錠剤。
【請求項３４】
約１０％〜１５％（重量比）の濃度における非イオン性乳化剤と、約５％〜１０％（重量比）の濃度におけるカチオン性乳化剤と、約４０％〜４５％（重量比）の濃度における水溶性有機レオロジー改質剤と、約１％〜３％（重量比）の濃度における脂質が豊富な増粘剤と、約１０％〜２０％（重量比）の濃度における植物油とを含む、請求項３３に記載の錠剤。
【請求項３５】
発泡剤と、非イオン性界面活性剤と、崩壊剤とを含む毛髪を浄化するための水溶性クレンジング錠剤。
【請求項３６】
前記発泡剤は、アニオン性界面活性剤を含む、請求項３５に記載のクレンジング錠剤。
【請求項３７】
前記崩壊剤は、架橋ポリマーまたは改質デンプンもしくはセルロース製品である、請求項３５または請求項３６に記載のクレンジング錠剤。
【請求項３８】
前記非イオン性界面活性剤は、両親媒性配糖体である、請求項３５−３７のいずれか１項に記載のクレンジング錠剤。
【請求項３９】
非イオン性乳化剤と、カチオン性乳化剤と、カチオン性シリコーンエマルションとを含む、本発明の錠剤のうちの１つ以上のものを用いて毛髪を浄化および／またはトリートメントした後の使用のためのトリートメントスプレー。
【請求項４０】
前記カチオン性シリコーンエマルションは、シリコーンと、カチオン性アミン乳化剤と、レオロジー改質剤とを含む、請求項３９に記載のトリートメントスプレー。
【請求項４１】
アニオン性乳化剤と、カチオン性乳化剤と、増粘剤と、植物油とを含む、本発明の錠剤のうちの１つ以上のものを用いて毛髪を浄化および／またはトリートメントした後の使用のためのクリームスプレー。
【請求項４２】
前記カチオン性乳化剤は、第４級アンモニウム化合物である、請求項４１に記載のクリームスプレー。
【請求項４３】
前記アニオン性乳化剤は、グリセロールエステルまたはその誘導体、またはココイルイセチオン酸ナトリウム、またはそれらの組み合わせである、請求項４１または請求項４２に記載のクリームスプレー。
【請求項４４】
前記増粘剤は、脂質が豊富な作用物質である、請求項４１−４３のいずれか１項に記載のクリームスプレー。
【請求項４５】
シリコーンまたはその誘導体と、ＵＶＲフィルタリング剤と、植物油とを含む、本発明の錠剤のうちの１つ以上のものを用いて毛髪を浄化および／またはトリートメントした後の使用のための仕上げスプレー。
【請求項４６】
前記シリコーンは、有機ケイ素化合物である、請求項４５に記載の仕上げスプレー。
【請求項４７】
請求項１−１４のいずれか１項に記載のシャワーヘッド内での使用のための請求項１５−３８のいずれか１項に記載の錠剤。
【発明の詳細な説明】
【技術分野】
【０００１】
本発明は、トリートメント適用装置と、ある範囲の毛髪トリートメントと、関連付けられる毛髪トリートメントプロセスおよび方法とを含む毛髪トリートメントシステムに関する。
【０００２】
本発明は、主として、サロン環境における毛髪ケア専門家による使用のために開発されているが、この特定の使用分野に限定されない。
【背景技術】
【０００３】
本明細書全体を通した従来技術のいずれの議論も、いかようにも、そのような従来技術が広く公知であるか、またはこの分野における共通の一般的知識の一部を形成するという承認として見なされるべきではない。
【０００４】
現在までの毛髪トリートメントプロセスの大部分は、最初に毛髪をぬらし、クレンザまたはトリートメント製品をぬれた、もしくは湿らせた毛髪に別個に適用し、濯ぎ、次いで、要求に応じて、さらなるトリートメントを適用する不連続プロセスに基づいている。
【０００５】
毛髪をぬらすプロセス中、ある形態の水運搬コンディショナまたはクレンザ製品を適用する手段を提供する利用可能なシステムが存在するが、これらは、限界を有する。例えば、液体クレンザを固定式バスルームシャワーヘッドの中に自動的に送達する製品は、いかなる用量制御も提供せず、毛髪および頭皮の異なる領域に制御された様式で導かれることができない。
【０００６】
同様に、ハンドヘルドシャワーヘッドにおけるクレンザまたは水コンディショナの固体錠剤の使用を提案する専門的システムは、以下を含む１つ以上の問題を有する：クレンザの送達の制御された速度を達成することの困難；出口板における孔または穿孔を閉塞すること；または、錠剤の溶解の速度を低減させるために通常の水流条件を意図的に阻止する特殊な容器を使用し、その後に除去することを必要とすること。多くの場合、後者のシステムのユーザは、単純に、洗面器内の水中で錠剤を溶解させ、次いで、結果として生じる溶液中に顧客の毛髪を浸すことを選定する。
【０００７】
従来技術の上で議論される不利点を克服または改善すること、または少なくとも有用な代替物を提供することが、本発明の目的である。
【発明の概要】
【課題を解決するための手段】
【０００８】
（シャワーヘッド装置）
第１の側面によると、本発明は、水崩壊性錠剤形態トリートメント源から連続用量の水分散トリートメントを送達するように構成されたハンドヘルドシャワーヘッドを提供し、シャワーヘッドは、
１つの領域における水入口開口部と別の領域における水出口とを有する中空本体であって、水出口は、有孔板によって画定されている、中空本体と、
水入口開口部と有孔板との間に配置された固定メッシュ構造物と
を含み、
水入口開口部、中空本体、および有孔板は、使用時、有孔板を通って退出することに先立って、中空本体内で加圧乱流水流を生成するように構成され、それによって、使用に先立ちメッシュおよび水入口開口部の中間の中空本体の中に導入された好適に構成された水崩壊性固体錠剤形態トリートメント源が、乱流水流によって、すり減る様式でメッシュ構造物に対して攪拌され、それによって、有孔板から退出する水流中に分散させられる。
【０００９】
「水崩壊性」とは、錠剤が、ある期間にわたって水流にさらされると、崩壊するであろうことを意味する。錠剤の成分は、水中で可溶性であり得るが、錠剤が水流にさらされたときに崩壊するために、全ての成分が水溶性であることは、不可欠ではないことを理解されたい。
【００１０】
用語「メッシュ」は、それに対して錠剤がすり減り得ると同時に、中空本体内の、および有孔板を通した水流を実質的に妨害しない、剛体要素のマトリクスを画定する任意の剛体穿孔構造を指すように本明細書で使用される。それは、織成構造物に限定されることを意図していない。
【００１１】
好ましくは、固定メッシュ構造物は、有孔板に隣接して配置されているが、それからわずかに間隔を置かれている。望ましくは、水入口開口部は、有孔板に略平行であり、それから間隔を置かれた平面内で中空本体の中に水を送達するように構成され、中空本体は、その水流の少なくとも一部を入口から板に向かって下向きに導き、それによって、本体内で乱流水流を生成するように成形される。
【００１２】
望ましくは、本体の内部形状は、少なくとも部分的に板に接線方向に本体内で周回する回転水流路が作成されるように構成される。
【００１３】
このように、概して、循環する乱流が、生成され、それは、固体トリートメント錠剤を取り込み、それが乱流内で回転または別様に移動し、崩壊プロセスを補助するメッシュ構造物に対して繰り返しすり減ることを引き起こす。
【００１４】
好ましくは、メッシュは、中空本体内の通常の流動、および有孔板を通した通常の流動に最小の乱れを提供するように構成される。
【００１５】
より好ましくは、メッシュは、有孔板から離れるほうに開いているボウル様クレードル部分を画定するように構成される。好ましくは、メッシュ構造物は、中空本体内からの水によってアクセス可能な有孔板の全面積を横断して延びている。理想的には、クレードルは、外向きに傾斜する側も有する。このクレードル形状は、適切にサイズを決定および成形されたトリートメント錠剤がシャワーヘッド内に最初に挿入されるとき、錠剤が有孔板に向かって移動するように錠剤を配置するように作動し、傾斜側は、水流によってメッシュに向かって押し進められるゆっくりと崩壊する錠剤を乱流領域および／または中空本体の中心部分に戻すように偏向させることに役立つように作動する。
【００１６】
望ましくは、シャワーヘッドは、水流を曝気する手段も含む。１つの好ましい形態では、それは、中空本体への入口の上流に配置された曝気前処理チャンバの提供によって達成される。一実施形態では、曝気は、前処理チャンバ内に微粒子状物質を閉じ込めるように配置することによって達成され、それによって、微粒子状物質の周囲でのこのチャンバを通した水の通行は、空気の気泡が作成されることを引き起こし、それは、水とともに中空本体の中に入る。空気は、有孔板を通しても中空本体の中に取り込まれ得、それは、好ましくは、デバイスの外側から視認されると、わずかに凹状である。
【００１７】
好ましくは、微粒子状物質は、ビーズ形態である。より好ましくは、微粒子状物質は、例えば、水をイオン化することによってその性質を強化するように水と相互作用もする材料を含む。好適なビーズ材料は、トルマリン、銀、白鉛鉱、ビタミンＣ、ビタミンＤ、およびＫｏａ  Ｇｌａｓｓ  Ｃｏｍｐａｎｙによって生産され、徐々に放出されるガラス網目構造中に保持される銀イオンを伴う抗菌性ガラス粉末であるＭｉｌｌｉｏｎ  ＧｕａｒｄＴＭ等の製品を含む。望ましくは、シャワーヘッドは、使用時、水が、上側領域から中空本体に進入し、それによって、滝様流れを作成し、そして、中空本体内の下側のぬれた面と衝突することによってレナード効果を強化し、負イオンを生産するように構成されている。そのようなイオンは、微粒子状物質が含まれる場合、水が前処理チャンバ内のぬれた微粒子状物質と衝突するので、すでに存在していることもある。
【００１８】
好ましくは、シャワーヘッドは、塩素等の不要な不純物を濾過して除去する手段も含む。これは、負イオンを生成する手段の一部であるか、またはそれと別個であり得る。
【００１９】
好ましくは、シャワーヘッドおよび崩壊性錠剤は、典型的な圧力および毛髪洗浄温度における温水供給源との使用中、錠剤が、約２〜４分で崩壊し、水分散トリートメントの流動をユーザに提供するように構成される。シャワーヘッドへの典型的な水入口圧力の例は、５０〜２００ＫＰａの圧力範囲、摂氏１０〜４０度の温度範囲、および流量調整器によって制御され得るような１分あたり４〜１２リットル、好ましくは、１分あたり５〜８リットルの出口流率を含む。
【００２０】
望ましくは、シャワーヘッドは、増加圧力低減水使用シャワーヘッドとして構成される。
【００２１】
１つの好ましい形態では、増加圧力および低減水使用は、少なくとも部分的に０．２〜０．３５ミリメートルの厚さ範囲と、好ましくは、直径が０．０２〜０．０３ミリメートルの丸形形状の穿孔とを有し、合計で約３００〜５００個の穿孔、より好ましくは、約４００個の穿孔を伴う有孔板の使用によって達成される。好ましくは、穿孔のパターンは、集束スプレーパターンを提供するために、有孔板の中心領域の周囲に集中するように配列され、板の全周外側部分に広がらず、それによって、（トリートメントの有無を問わず）水は、トリートメントを受ける頭部の領域に注意深く導かれ、スプレーがトリートメント洗面器を越えて広がるリスクを低減させることができる。好ましくは、中空本体への入口は、中空本体に進入する水の圧力を増加させるように小さい。１つの好ましい形態では、入口は、約１０〜１４ｍｍの最大長および約２〜３ｍｍの最大幅を伴うスリット開口部の形態である。シャワーヘッドは、トリートメント錠剤を挿入するための中空本体への再密封可能アクセスを可能にする手段を含む。一形態では、アクセスは、有孔板を格納するシャワーヘッドの部分を除去することによって提供され、それは、好ましくは、バヨネット式取り付け具等の迅速解放機構によって固定される。
【００２２】
別の実施形態では、アクセスは、中空本体の中への小さい再密封可能開口部として提供される。
【００２３】
本発明の好ましい形態は、中空本体内に固定メッシュを含むが、別の形態では、メッシュは、茶こしポッドと類似する様式で錠剤をカプセルに包むように設計され得、それによって、メッシュポッド全体が、乱流内で移動し、錠剤は、すり減る様式でメッシュポッド内で移動し、それによって、有孔板から退出する水流中に分散させられる。
（毛髪トリートメント）
【００２４】
第２の側面によると、本発明は、乳化剤と、増粘剤と、油と、レオロジー改質剤とを含む、水崩壊性錠剤を提供する。
【００２５】
「水崩壊性」とは、錠剤が、ある期間にわたって水流にさらされると、崩壊するであろうことを意味する。錠剤の成分は、水中で可溶性であり得るが、錠剤が水流にさらされたときに崩壊するために、全ての成分が水溶性であることは、不可欠ではないことを理解されたい。錠剤は、固体ワックス状錠剤であり得る。
【００２６】
本発明の実施形態では、錠剤は、毛髪トリートメントを含み得る、美容目的のために使用される。
【００２７】
本発明の錠剤中で使用されるレオロジー改質剤は、製造中に錠剤の流体成分の粘度を増加させるために好適な任意の化合物または組成物であり得る。レオロジー改質剤は、錠剤の形成を補助するために、水中油型および油中水型エマルションを安定化させることによって流体成分の粘度を増加させ得る。「好適」とは、結果として生じる成分の粘性混合物中の成分が、比較的に均一に分散させられ、活性状態のままであり、経時的に（水にさらされていないとき）劣化または崩壊に耐性があることを意味する。当業者は、レオロジー改質剤が、本質的に、低粘度を伴う流体成分またはエマルションの混合物に添加されると、流体成分またはエマルションの混合物の粘度を増加させ得る化合物、または少なくともエマルションの粘度を維持し、概して、安定したエマルションの維持を補助し得る化合物であることを理解するであろう。
【００２８】
レオロジー改質剤は、無機または有機分子を含み得、概して、水相として流体成分またはエマルションの混合物に添加され得る。それは、好ましくは、有機ポリマー等の有機分子である。レオロジー改質剤として本発明において使用するために好適な有機分子は、限定ではないが、ポリアクリレート、ポリウレタン、およびポリエーテルを含む。
【００２９】
本発明の好ましい実施形態では、錠剤は、水溶性である有機ポリマーを含む。
【００３０】
レオロジー改質剤は、コポリマーでもあり得る。当業者は、コポリマーが２つ以上のタイプのモノマーを含む任意のポリマーであることを理解するであろう。
【００３１】
本発明の錠剤中での使用のためのコポリマー中の各モノマーのパーセンテージならびに任意の有機ポリマーの長さは、レオロジー改質剤の所望の性質に依存するであろう。レオロジー改質剤の所望の性質は、錠剤中の他の成分の性質によっても影響を受け得、例えば、錠剤が固体または液体であるＵＶＲフィルタリング剤を含むかどうか、および／またはタンパク質抽出物が油、水、もしくは溶剤可溶性または混和性であったかどうかは、レオロジー改質剤の選定に影響を及ぼし得ることが当業者によって理解されるであろう。これに加えて、錠剤中の全油含有量も、レオロジー改質剤の選定に影響を及ぼし得る。レオロジー改質剤の選定は、特定の錠剤の要求される溶解速度によっても影響を受け得る。
【００３２】
本発明の好ましい実施形態では、レオロジー改質剤は、カルボマーおよびポリエチレングリコールから成る群から選択される水溶性有機ポリマーである。
【００３３】
好ましい実施形態では、レオロジー改質剤は、ポリエチレングリコールまたはその誘導体である。特に好ましい実施形態では、レオロジー改質剤は、ＰＥＧ−４０００である。
【００３４】
本発明の好ましい実施形態では、錠剤は、約５〜５０％（重量比）の濃度におけるレオロジー改質剤を含み得る。より好ましくは、錠剤は、約２０〜５０％（重量比）の濃度におけるレオロジー改質剤を含み得る。さらに好ましい実施形態では、錠剤は、約３０％〜４０％（重量比）の濃度におけるレオロジー改質剤を含み得る。他の好ましい実施形態では、錠剤は、約２０％、２５％、３０％、３５％、４０％、または４５％（重量比）の濃度におけるレオロジー改質剤を含み得る。
【００３５】
代替実施形態では、レオロジー改質剤は、グリセリン、グリセロールエステル、またはそれらの誘導体である。グリセロールエステルは、例えば、オレイン酸グリセリルまたはステアリン酸グリセリルであり得る。グリセロールエステルは、アニオン性乳化剤としても挙動し得ることを理解されたい。
【００３６】
特に好ましい実施形態では、本発明の錠剤は、約３０％〜４５％（重量比）の濃度におけるポリエチレングリコールを含む。
【００３７】
本発明の他の好ましい実施形態では、錠剤は、約３０％、３５％、４０％、または４５％（重量比）の濃度におけるＰＥＧ−４０００を含む。
【００３８】
特に好ましい実施形態では、本発明の錠剤は、約１０％〜２０％、１５％〜２５％、５％〜１５％、２０％〜４０％、または３５％〜４５％（重量比）の濃度におけるグリセロールエステルを含む。
【００３９】
本発明の他の好ましい実施形態では、錠剤は、約５％、１０％、１５％、２０％、２５％、３０％、３５％、４０％、または４５％（重量比）の濃度におけるグリセロールエステルまたはその誘導体を含む。
【００４０】
特に好ましい実施形態では、本発明の錠剤は、約１０％〜２０％、１５％〜２５％、５％〜１５％、２０％〜４０％、または３５％〜４５％（重量比）の濃度におけるステアリン酸グリセリルまたはその誘導体を含む。
【００４１】
特に好ましい実施形態では、本発明の錠剤は、約１０％〜２０％、１５％〜２５％、５％〜１５％、２０％〜４０％、または３５％〜４５％（重量比）の濃度におけるオレイン酸グリセリルまたはその誘導体を含む。
【００４２】
本発明の錠剤中で使用される乳化剤は、通常混合しないであろう物質の混合物（エマルション）を生産するために好適な任意の化合物または組成物であり得る。一般に、乳化剤は、好水性の親水性頭部と、好油性の疎水性尾部とを含む。乳化剤は、水中油型または油中水型乳化剤であり得る。
【００４３】
本発明の実施形態では、乳化剤は、イオン性（カチオン性もしくはアニオン性）乳化剤、双性イオン性乳化剤、または非イオン性乳化剤であり得る。
【００４４】
本発明の錠剤中で使用するために好適なカチオン性乳化剤の非限定的例は、塩化ベンザルコニウム、塩化ベンゼトニウム、塩化ステアラルコニウム、および塩化セトリモニウム等の第４級アンモニウム化合物を含む。
【００４５】
カチオン性乳化剤は、いくつかの微生物の細胞膜を破壊するカチオン性界面活性剤の公知の能力に照らして、抗菌剤としての役割も果たし得ることを理解されたい。
【００４６】
本発明の錠剤中で使用するために好適なアニオン性乳化剤の非限定的例は、ラウリル硫酸ナトリウム（ＳＬＳ）、ラウリル硫酸アンモニウム（ＡＬＳ）、またはそれらのエトキシル化コンパニオン、ラウレス硫酸ナトリウム（ＳＬＥＳ）、ドキュセートナトリウム、タウレート、イセチオン酸塩、オレフィンスルホン酸塩、およびスルホコハク酸塩を含む。
【００４７】
本発明の錠剤中で使用するために好適な双性イオン性乳化剤の非限定的例は、ラウリミノジプロピオン酸ナトリウムおよびラウロアンホ二酢酸二ナトリウムを含む。
【００４８】
本発明の錠剤中で使用するために好適な非イオン性乳化剤の非限定的例は、Ｔｗｅｅｎ（ポリソルベート）等のソルビタンエステルおよびソルビタンエステルのポリオキシエチレン誘導体、セチルアルコール、セテアリルアルコール、ラウリアルコール、オレイルアルコール、ステアリルアルコール等の長鎖（脂肪）アルコール、セテアレス、セテス、オレス、ステアレス、およびラウレス等の脂肪アルコールのポリオキシエチレンエーテル、脂肪アルコールエトキシレート、脂肪アルコールアルコキシレート、ならびにノニフェニルエトキシレートを含む。
【００４９】
錠剤は、セテアリルアルコール、セテアレス、Ｔｗｅｅｎ乳化剤、アルコールアルコキシレート、アルコールエトキシレート、およびノニフェニルエトキシレートからなる群から選択される非イオン性乳化剤である１つ以上の乳化剤を含み得る。
【００５０】
本発明の好ましい実施形態では、錠剤は、セテアリルアルコールと、セテアレス−２０とを含むＥｍｕｌａｇａｄｅ（登録商標）  １０００ＮＩ（ＢＡＳＦ）として公知の非イオン性乳化剤を含む。
【００５１】
本発明の好ましい実施形態では、錠剤は、ＴＥＲＩＣ  ＢＬ８（登録商標）（Ｈｕｎｔｓｍａｎ）として公知のアルコールアルコキシレートを含む。
【００５２】
本発明の好ましい実施形態では、錠剤は、ＴＥＲＩＣ  １６Ａ３０（登録商標）（Ｈｕｎｔｓｍａｎ）として公知のアルコールエトキシレートを含む。
【００５３】
本発明の好ましい実施形態では、錠剤は、ＴＥＲＩＣ  Ｎ９（登録商標）またはＴＥＲＩＣ  Ｎ５（登録商標）（Ｈｕｎｔｓｍａｎ）として公知のノニフェニルエトキシレートを含む。
【００５４】
本発明の好ましい実施形態では、錠剤は、非イオン性乳化剤であるＴｗｅｅｎ−８０を含む。
【００５５】
本発明の好ましい実施形態では、錠剤は、カチオン性乳化剤である塩化セトリモニウムを含む。
【００５６】
本発明の好ましい実施形態では、錠剤は、２つ以上の異なる乳化剤を含み得る。２つ以上の異なる乳化剤は、異なる非イオン性乳化剤、または異なるアニオン性乳化剤、または異なるカチオン性乳化剤、または異なる双性イオン性乳化剤、もしくは非イオン性、アニオン性、カチオン性、および／または双性イオン性乳化剤の組み合わせであり得る。
【００５７】
本発明の好ましい実施形態では、錠剤は、２つの異なるタイプの乳化剤を含む。本発明のより好ましい実施形態では、２つのタイプの乳化剤は、非イオン性乳化剤およびカチオン性乳化剤である。
【００５８】
本発明の特に好ましい実施形態では、錠剤は、少なくとも１つのカチオン性乳化剤と、少なくとも２つの異なる非イオン性乳化剤とを含む。本発明のさらに好ましい実施形態では、錠剤は、１つのカチオン性乳化剤と、少なくとも３つの異なる非イオン性乳化剤とを含む。錠剤は、少なくとも４つの異なる非イオン性乳化剤を含み得る。
【００５９】
好ましい実施形態では、錠剤は、セテアリルアルコール、セテアレス、Ｔｗｅｅｎ乳化剤、ノニフェニルエトキシレート、アルコールアルコキシレート、アルコールエトキシレート、および第４級アンモニウム化合物から成る群から選択される少なくとも３つの乳化剤を含む。
【００６０】
好ましい実施形態では、錠剤は、セテアリルアルコール、セテアレス、Ｔｗｅｅｎ乳化剤、ノニフェニルエトキシレート、アルコールエトキシレート、アルコールアルコキシレート、および第４級アンモニウム化合物から成る群から選択される少なくとも４つの乳化剤を含む。
【００６１】
好ましい実施形態では、錠剤は、セテアリルアルコール、セテアレス−２０、Ｔｗｅｅｎ−８０、ＴＥＲＩＣ（登録商標）  Ｎ５、ＴＥＲＩＣ（登録商標）  Ｎ９、ＴＥＲＩＣ（登録商標）  ＢＬ８、ＴＥＲＩＣ（登録商標）  １６Ａ３０、および塩化セトリモニウムから成る群から選択される少なくとも３つの乳化剤を含む。
【００６２】
本発明の実施形態では、錠剤中の乳化剤の全濃度は、約１０％〜４０％または１０％〜２０％（重量比）である。
【００６３】
好ましい実施形態では、錠剤は、約１％〜１０％（重量比）の濃度におけるＥｍｕｌａｇａｄｅ（登録商標）  １０００ＮＩを含む。本発明の好ましい実施形態では、錠剤は、約１％〜５％（重量比）の濃度におけるＥｍｕｌａｇａｄｅ（登録商標）  １０００ＮＩを含み得る。
【００６４】
本発明の実施形態では、錠剤中のカチオン性乳化剤の全濃度は、約１％〜１０％（重量比）である。好ましい実施形態では、錠剤中のカチオン性乳化剤の全濃度は、約４％〜６％、５％〜７％、６％〜８％、または７％〜８％（重量比）である。
【００６５】
好ましい実施形態では、錠剤中のカチオン性乳化剤は、塩化セトリモニウムであり、約４％〜５％、５％〜６％、６％〜７％、または７％〜８％（重量比）の濃度において存在する。
【００６６】
本発明の実施形態では、錠剤中の非イオン性乳化剤の全濃度は、約５％〜３０％（重量比）である。好ましい実施形態では、錠剤中の非イオン性乳化剤の全濃度は、約１０％〜２０％または１０％〜１５％（重量比）である。
【００６７】
好ましい実施形態では、錠剤は、約１％〜５％（重量比）の濃度におけるセテアリルアルコールを含む。本発明の好ましい実施形態では、錠剤は、約１％〜３％（重量比）の濃度におけるセテアリルアルコールを含み得る。
【００６８】
好ましい実施形態では、錠剤は、約１％〜５％（重量比）の濃度におけるセテアレスを含む。本発明の好ましい実施形態では、錠剤は、約１％〜３％（重量比）の濃度におけるセテアレスを含み得る。
【００６９】
好ましい実施形態では、錠剤は、約１％〜１０％（重量比）の濃度におけるＴｗｅｅｎ乳化剤を含む。本発明の好ましい実施形態では、錠剤は、約４％〜７％（重量比）の濃度におけるＴｗｅｅｎ乳化剤を含み得る。
【００７０】
好ましい実施形態では、錠剤は、約１％〜１０％（重量比）の濃度におけるアルコールアルコキシレートを含む。本発明の好ましい実施形態では、錠剤は、約４％〜７％（重量比）の濃度におけるアルコールアルコキシレートを含み得る。
【００７１】
好ましい実施形態では、錠剤は、約１％〜１５％（重量比）の濃度におけるアルコールエトキシレートを含む。本発明の好ましい実施形態では、錠剤は、約５％〜１０％、４％〜８％、または５％〜７％（重量比）の濃度におけるアルコールエトキシレートを含み得る。
【００７２】
好ましい実施形態では、錠剤は、約０．２％〜１０％（重量比）の濃度におけるノニフェニルエトキシレートを含む。本発明の好ましい実施形態では、錠剤は、約０．５％〜３％、３％〜７％（重量比）の濃度におけるノニフェニルエトキシレートを含む。
【００７３】
本発明の非常に好ましい実施形態では、錠剤は、約２％〜４％（重量比）の濃度におけるＥｍｕｌａｇａｄｅ（登録商標）  １０００ＮＩ、約４％〜６％（重量比）の濃度における塩化セトリモニウム、約４％〜６％（重量比）の濃度におけるＴｗｅｅｎ−８０、約３％〜６％（重量比）の濃度におけるＴＥＲＩＣ（登録商標）  Ｎ５、約０．５％〜２％（重量比）の濃度におけるＴＥＲＩＣ（登録商標）  Ｎ９、および約４％〜６％（重量比）の濃度におけるＴＥＲＩＣ（登録商標）  ＢＬ８から成る群から選択される少なくとも３つの乳化剤を含み得る。
【００７４】
本発明の非常に好ましい実施形態では、錠剤は、約３％〜５％（重量比）の濃度におけるＥｍｕｌａｇａｄｅ（登録商標）  １０００ＮＩ、約６％〜８％（重量比）の濃度における塩化セトリモニウム、約０．５％〜２％（重量比）の濃度におけるＴＥＲＩＣ（登録商標）  Ｎ９、および約４％〜６％（重量比）の濃度におけるＴＥＲＩＣ（登録商標）  １６Ａ３０（登録商標）から成る群から選択される少なくとも３つの乳化剤を含み得る。
【００７５】
本発明の錠剤中で使用される増粘剤は、それが固体錠剤に形成され得るように混合物を十分に固化させるために好適な任意の化合物または組成物であり得る。増粘剤は、非水相濃厚剤であり得、炭水化物が豊富、ミネラルが豊富、または脂質が豊富な作用物質であり得る。
【００７６】
ミネラルが豊富な増粘剤は、無機および／または親水性粘土もしくはシリカから選択される群から選択され得る。非限定的例は、ベントナイト粘土、アタパルジャイト粘土、有機粘土、およびヘクトライト粘土を含む。
【００７７】
増粘剤は、セルロース、キサンタン、またはゼラチン等の炭水化物が豊富な作用物質であり得る。本発明の実施形態では、増粘剤は、葛粉である。
【００７８】
より好ましくは、増粘剤は、脂質が豊富な作用物質である。脂質が豊富な増粘剤の非限定的例は、蜜蝋ならびにカーボワックスおよび／またはＰＥＧ−４０としても公知である水添ヒマシ油を含む。
【００７９】
水溶性ワックスである水添ヒマシ油は、水中に迅速に溶解するが、錠剤の固体結合を可能にすることを理解されたい。
【００８０】
本発明の好ましい実施形態では、錠剤は、約１％〜１５％（重量比）の濃度における増粘剤を含み得る。より好ましくは、錠剤は、約５％〜１５％、１％〜１％、１％〜５％、または１％〜３％（重量比）の濃度における水添ヒマシ油を含む。
【００８１】
本発明の錠剤中の油は、毛髪との使用のために好適な任意の油であり得、任意の数の異なる油の任意の混合物であり得る。好ましい実施形態では、錠剤は、少なくとも２％、少なくとも５％、少なくとも１０％、少なくとも１５％、少なくとも２０％、または少なくとも３０％（重量比）の油を含み得る。
【００８２】
本発明の錠剤中の油は、任意の油産生植物に由来する任意の油であり得、任意の数の異なる植物油の任意の混合物であり得る。好ましい実施形態では、錠剤は、少なくとも２％、少なくとも５％、少なくとも１０％、少なくとも１５％、少なくとも２０％、または少なくとも３０％（重量比）の植物油を含み得る。
【００８３】
好ましい実施形態では、錠剤は、約１５％〜２０％、１５％〜２５％、２０％〜２５％、または２５％〜２５％（重量比）の植物油を含み得る。
【００８４】
使用される植物油は、天然保湿性質を有する油であり得る。本発明の好ましい実施形態では、全植物油は、ココナッツ油、シア油／バター、オリーブ油、アーモンド油、ペパーミント油、杏仁油、トゥルシ油、レモングラス油、ラベンダー油、ヒマワリ種子油、麦芽油、アルガン油、ツバキ油、ヒマシ油、マカダミア油、メドウフォーム種子油、麻実油、ホホバ油、ブドウ種子油、マルラ油、米糠油、アボカド油、ラズベリー種子油、柑橘油、およびニンジン種子油から成る群から選択される少なくとも１つの他の植物油を含む。
【００８５】
本発明の好ましい実施形態では、錠剤は、ココナッツ油を含む。本発明の特に好ましい実施形態では、錠剤は、最大２０％（重量比）のココナッツ油を含み得る。好ましい実施形態では、錠剤は、少なくとも２％、少なくとも５％、少なくとも７％、または少なくとも１０％（重量比）のココナッツ油を含み得る。他の好ましい実施形態では、錠剤は、約１％〜５％または３％〜５％（重量比）のココナッツ油を含み得る。
【００８６】
本発明の好ましい実施形態では、ココナッツ油に加えて、全植物油は、マカダミア油、シア油／バター、オリーブ油、ペパーミント油、麦芽油、マルラ油、アルガン油、ツバキ油、ヒマシ油、ホホバ油、ラズベリー種子油、およびニンジン種子油から成る群から選択される少なくとも１つの油を含む。
【００８７】
本発明の好ましい実施形態では、本発明は、約１０％〜４０％（重量比）の濃度における１つ以上の乳化剤と、約１％〜１５％（重量比）の濃度における脂質が豊富な増粘剤と、約１５％〜２５％（重量比）の濃度における１つ以上の植物油と、約３０％〜４５％（重量比）の濃度における水溶性有機レオロジー改質剤とを含む毛髪トリートメントを含み得る美容目的のために使用される水崩壊性錠剤である。
【００８８】
本発明の好ましい実施形態では、本発明は、約１０％〜２０％（重量比）の濃度における１つ以上のカチオン性および／または非イオン性乳化剤と、約１％〜５％（重量比）の濃度における脂質が豊富な増粘剤と、約１５％〜２５％（重量比）の濃度における１つ以上の植物油と、約４０％〜４５％（重量比）の濃度における水溶性有機レオロジー改質剤とを含む毛髪トリートメントのために使用される水崩壊性錠剤である。
【００８９】
本発明の好ましい実施形態では、本発明は、約１０％〜２０％（重量比）の濃度における１つ以上のカチオン性および／または非イオン性乳化剤と、約１％〜５％（重量比）の濃度における水添ヒマシ油と、約１５％〜２５％（重量比）の濃度における１つ以上の植物油と、約２０％〜４５％（重量比）の濃度におけるグリセロールエステルとを含む、毛髪トリートメントのために使用される水崩壊性錠剤である。
【００９０】
本発明の錠剤が、保存剤、防腐剤、軟化剤、タンパク質抽出物、紫外線照射（ＵＶＲ）フィルタリング剤、芳香剤、活性剤、賦形剤、希釈剤、および着色剤も含み得ることが当業者によって理解されるであろう。
【００９１】
本発明の錠剤中で使用される軟化剤は、毛幹からの水の蒸発の防止を補助し得る、毛幹上の少なくとも部分的に防水性の層を形成することを補助し得る任意の化合物または組成物であり得る。軟化剤は、脂質系またはシリコーン系軟化剤であり得る。
【００９２】
本発明の好ましい実施形態では、錠剤は、約５％〜２０％（重量比）の濃度における軟化剤を含み得る。より好ましくは、錠剤は、約５％〜１５％（重量比）の濃度における軟化剤を含み得る。他の好ましい実施形態では、錠剤は、約６％〜１２％または５％〜１０％（重量比）の濃度における軟化剤を含み得る。
【００９３】
本発明の非常に好ましい実施形態では、錠剤は、約５％〜１５％、５％〜１％、または７％〜１０％（重量比）の濃度におけるセチオール−Ｃ５を含む。
【００９４】
本発明の錠剤中で使用されるタンパク質抽出物は、毛髪上で使用するために好適であり、毛幹の強化することを補助し得るタンパク質、ペプチド、および／またはアミノ酸を含む任意の抽出物であり得る。
【００９５】
タンパク質抽出物は、限定ではないが、加水分解シルク、ケラチン、コムギタンパク質、コラーゲン、およびダイズタンパク質を含む任意の加水分解タンパク質抽出物、シルク系タンパク質抽出物、植物系タンパク質抽出物であり得る。
【００９６】
本発明の好ましい実施形態では、錠剤は、約０．５〜５％（重量比）の濃度におけるタンパク質抽出物を含み得る。
【００９７】
本発明の非常に好ましい実施形態では、錠剤は、約０．５％〜３％（重量比）の濃度における加水分解ダイズタンパク質を含む。
【００９８】
本発明の非常に好ましい実施形態では、錠剤は、約０．５％〜３％（重量比）の濃度における加水分解ケラチンを含む。
【００９９】
本発明の錠剤中で使用される保存剤は、微生物成長および錠剤の劣化の防止を補助する任意の物質であり得る。
【０１００】
保存剤は、抗菌剤または抗酸化剤であり得る。本発明の好ましい実施形態では、錠剤は、０．５％〜５％（重量比）の濃度における保存剤を含み得る。より好ましくは、錠剤は、１％〜３％（重量比）の濃度における保存剤を含み得る。
【０１０１】
本発明の非常に好ましい実施形態では、錠剤は、０．５％〜３％（重量比）の濃度におけるフェノキシエタノールおよび／または安息香酸ナトリウムを含む。
【０１０２】
本発明の錠剤中で使用されるＵＶＲフィルタリング剤は、ＵＶＲを吸収、遮断、または反射する能力を有する任意の化合物であり得、ＵＶＲは、約２８０ｎｍ〜約４００ｎｍの範囲内の波長において起こる。この波長範囲は、ＵＶＡおよびＵＶＢの両方の波長範囲を包含することが当業者によって理解されるであろう。
【０１０３】
ＵＶＲフィルタリング剤は、主として、ＵＶＡまたはＵＶＢを吸収、遮断、もしくは反射し得るか、または、それは、ＵＶＡおよびＵＶＢの両方の範囲内に該当する波長において発生するＵＶＲを吸収、遮断、もしくは反射する広域スペクトルＵＶＲフィルタリング剤であり得る。
【０１０４】
ＵＶＲフィルタリング剤は、化学的日焼け防止剤または物理的日焼け防止剤であり得る。錠剤中で使用されるＵＶＲフィルタリング剤または複数のＵＶＲフィルタリング剤の選定は、安全性および規制上の考慮事項、作用物質が液体であるか、または固体であるか、および水溶性美容錠剤を形成するために他の成分と組み合わせられるＵＶＲフィルタリング剤の能力等の因子によって影響を受けるであろう。
【０１０５】
好ましい実施形態では、ＵＶＲフィルタリング剤は、（オーストラリア承認学名（ＡＡＮ）を使用する）ベモトリジノール（ビス−エチルヘキシルオキシフェノールメトキシフェノールトリアジン、ベモトリジノラム、エスカロールＳ、チノソーブＳ、１０％）、ベンジリデンカンファースルホン酸（アルファ−（２−オキソボーン−３−イリデン）トルエン−４−スルホン酸、メロキシルＳＬ、６％）、ブチルメトキシジベンゾイルメタン（ＢＭＤＭ、４−ｔｅｒｔ−ブチル−４’−メトキシジベンゾイルメタン、１−（４ｔｅｒｔブチルフェニル）−３（４−メトキシフェニル）−プロパン−１，３−ジオン、アボベンゾン、５％）、カンファーベンザルコニウムメトサルフェート（Ｎ，Ｎ，Ｎ−トリメチル−４−（オキソボーン−３−イリデンメチル）アニリニウムメチルサルフェート、メロキシルＳＯ、６％）、シノキセート（２−エトキシエチルパラ−メトキシケイ皮酸、６％）、ジエチルアミノヒドロキシベンゾイルヘキシルベンゾエート（安息香酸、２−［４−（ジエチルアミノ）−２−ヒドロキシベンゾイル］−ヘキシルエステル、ウビヌルＡ  Ｐｌｕｓ、１０％）、ジオキシベンゾン（ベンゾフェノン８、３％）、フェニルジベンゾイミダゾールテトラスルホン酸二ナトリウム（１Ｈ−ベンゾイミダゾール−４，６−ジスルホン酸、２，２’−（１，４−フェニレン）ビス−，二ナトリウム塩、ビスイミダジレート、ネオヘリオパンＡＰ、１０％）、ドロメトリゾールトリシロキサン（２−（２Ｈ−ベンゾトリアゾール−２−イル）−４−メチル−６［２−メチル−３−［１，３，３，３−テトラメチル−１−［（トリメチルシリル）オキシ］−ジシロキサニル］−プロピルフェノール、シラトリゾール、メキソリルＸＬ、１５％）、エカムスル（テレフタリリデンジカンファースルホン酸、メキソリルＳＸ、１０％）、ホモサラート（ホモメンチルサリチレート、３，３，５−トリメチルシクロヘキシル２−ヒドロキシベンゾエート、１５％）、メトキシケイ皮酸イソアミル（イソアミルｐ−メトキシケイ皮酸、イソアミル−４−メトキシケイ皮酸、イソペンテニル−４−メトキシケイ皮酸、アミロキサート、１０％）、４−メチルベンジリデンカンファー（３−（４−メチルベンジリデン）−ｄｌ−カンファー、エンザカメン、４％）、アントラニル酸メンチル（メンチル２−アミノ安息香酸、５−メチル−２−（１−メチルエチル）シクロヘキサノール−２−アミノ安息香酸、メラジメート、５％）、メチレンビス−ベンゾ−トリアゾリル−テトラメチル−ブチルフェノール（２，２’−メチレン−ビス−６−（２Ｈ−ベンゾトリアゾール−２イル）−４−（テトラメチル−ブチル）−１，１，３，３−フェノール、ビソクトリゾール、チノソーブＭ、１０％）、オクトクリレン（オクトクリレン、２−シアノ−３，３−ジフェニルアクリル酸、２−エチルヘキシルエステル、２−エチルヘキシル−２−シアノ−３，３ジフェニルアクリレート、ウビヌルＮ、１０％）、メトキシケイ皮酸オクチル（メトキシケイ皮酸エチルヘキシル、オクチノキサート、ウビヌルＭＣ、１０％）、サリチル酸オクチル（サリチル酸エチルヘキシル、２−サリチル酸エチルヘキシル、オクチサレート、５％）、オクチルトリア���ン（エチルヘキシルトリアゾン、２，４，６−トリアナリノ−（ｐ−カルボ−２’−エチルヘキシル−１’オキシ）−１，３，５−トリアジン、ウビヌルＴ、５％）、パディメートＯ（エチルヘキシルジメチルＰＡＢＡ、２−エチルヘキシル４−ジメチルアミノベンゾエート、オクチルジメチルＰＡＢＡ、８％）、ＰＥＧ−２５  ＰＡＢＡ（エトキシル化エチル４−アミノ安息香酸、ＰＥＧ２５  ＰＡＢＡ、ウビヌルＰ、１０％）、フェニルベンゾイミダゾールスルホン酸（−フェニルベンゾイミダゾール−５−スルホン酸、２−フェニル−５−スルホベンゾイミダゾール、エンスリゾール、４％）、ポリシリコーン−１５（ジメチコジエチルベンザルマロネート、ジエチルベンジリデンマロネートジメチコン、ジエチルマロニルベンジリデンオキシプロペンジメチコン、パルソールＳＬＸ、１０％）、スリソベンゾン（ベンゾフェノン４、５−ベンゾイル−４−ヒドロキシ−２−メトキシベンゼンスルホン酸、ウビヌルＭＳ、１０％）、スリソベンゾンナトリウム（ベンゾフェノン５、５−ベンゾイル−４−ヒドロキシ−２−メトキシベンゼンスルホン酸、ナトリウム塩、１０％）、二酸化チタン（Ｅ１７１、２５％）、サリチル酸トリエタノールアミン（ＴＥＡ−サリチル酸、サリチル酸トロラミン、１２％）、酸化亜鉛（白色色素４、限界なし）（括弧は、同義語、略語、商標、およびオーストラリアで許容される最大濃度を含んでいる）から成る群から選択される商業的に入手可能なＵＶＲフィルタリング剤であり得る。
【０１０６】
前述のリストは、オーストラリアにおいて使用が承認されたＵＶＲフィルタリング剤をまとめたものであり、このリストは、新しい化合物が含まれ得る一方、いくつかの化合物を除外するために経時的に変化し得る。リストに追加される任意の化合物も、本発明において使用するために好適なＵＶＲフィルタリング剤であろうことを理解されたい。
【０１０７】
好ましい実施形態では、ＵＶＲフィルタリング剤は、メトキシケイ皮酸エチルヘキシルである。
【０１０８】
本発明の好ましい実施形態では、錠剤は、１０％未満（重量比）の濃度における１つ以上のＵＶＲフィルタリング剤を含み得る。より好ましくは、錠剤は、５％未満（重量比）の濃度における１つ以上のＵＶＲフィルタリング剤を含み得る。他の好ましい実施形態では、錠剤は、３％未満（重量比）または約０．５〜２％（重量比）の濃度における１つ以上のＵＶＲフィルタリング剤を含み得る。
【０１０９】
本発明の種々の実施形態では、錠剤は、例えば、強化トリートメント、カラーケアトリートメント、または水和トリートメント等の特定のトリートメントを毛髪に提供するために調合される。異なるトリートメントを毛髪に提供するために、各錠剤の具体的調合は、修正され得ることを理解されたい。
【０１１０】
故に、本発明の特に好ましい実施形態では、乳化剤と、増粘剤と、油と、レオロジー改質剤とを含む毛幹を強化するための水崩壊性強化トリートメント錠剤が、提供され、油は、タンパク質が豊富な油である。
【０１１１】
好ましい実施形態では、強化トリートメント錠剤は、タンパク質抽出物をさらに含む。
【０１１２】
さらに好ましい実施形態では、タンパク質が豊富な油は、アルガン油、マルラ油、またはツバキ油である。
【０１１３】
本発明の好ましい実施形態では、強化トリートメント錠剤は、非イオン性乳化剤と、カチオン性乳化剤と、水溶性有機ポリマーレオロジー改質剤と、脂質が豊富な増粘剤と、タンパク質抽出物と、タンパク質が豊富な油と、少なくとも１つの他の植物油とを含む。
【０１１４】
本発明の好ましい実施形態では、強化トリートメント錠剤は、少なくとも３つの乳化剤の組み合わせを含む。より好ましい実施形態では、毛髪強化錠剤は、少なくとも１５％、少なくとも２０％、または少なくとも２５％（重量比）の全濃度の乳化剤を含む。
【０１１５】
本発明の好ましい実施形態では、強化トリートメント錠剤は、約２０％〜２５％（重量比）の濃度における乳化剤と、約２５％〜３５％（重量比）の濃度における水溶性有機ポリマーレオロジー改質剤と、約４％〜７％（重量比）の濃度における脂質が豊富な増粘剤と、約５％〜１５％（重量比）の濃度におけるアルガン油と、約１０％〜１５％（重量比）の濃度における少なくとも１つの他の植物油とを含む。
【０１１６】
本発明の他の好ましい実施形態では、強化トリートメント錠剤は、約１５％〜２０％（重量比）の濃度における乳化剤と、約４０％〜４５％（重量比）の濃度における水溶性有機ポリマーレオロジー改質剤と、約１％〜３％（重量比）の濃度における脂質が豊富な増粘剤と、約０．５％〜２％（重量比）の濃度におけるタンパク質抽出物と、約１％〜５％（重量比）の濃度におけるタンパク質が豊富な油と、約５％〜１５％（重量比）の濃度における少なくとも１つの他の植物油とを含む。
【０１１７】
本発明の他の好ましい実施形態では、強化トリートメント錠剤は、約１５％〜２０％（重量比）の濃度における乳化剤と、約４０％〜４５％（重量比）の濃度における水溶性有機ポリマーレオロジー改質剤と、約１％〜３％（重量比）の濃度における脂質が豊富な増粘剤と、約０．５％〜２％（重量比）の濃度におけるタンパク質抽出物と、約１％〜５％（重量比）の濃度におけるタンパク質が豊富な油と、約５％〜１５％（重量比）の濃度における少なくとも１つの他の植物油と、約５％〜１０％（重量比）の濃度における軟化剤とを含む。
【０１１８】
本発明の好ましい実施形態では、強化トリートメント錠剤は、セテアリルアルコールと、セテアレスと、ＰＥＧ−４０００と、セチオール−Ｃ５と、ココナッツ油と、Ｔｗｅｅｎ−８０と、シアバターと、アルガン油と、ＴＥＲＩＣ（登録商標）  Ｎ９と、ＴＥＲＩＣ（登録商標）  Ｎ５と、ＴＥＲＩＣ（登録商標）  ＢＬ８と、オリーブ油と、塩化セトリモニウムと、水添ヒマシ油と、フェノキシエタノールとを含む。
【０１１９】
本発明のさらに好ましい実施形態では、強化トリートメント錠剤は、セテアリルアルコールと、セテアレスと、ＰＥＧ−４０００と、セチオール−Ｃ５と、ココナッツ油と、シアバターと、アルガン油と、マルラ油と、ツバキ油と、ダイズ抽出物と、ＴＥＲＩＣ（登録商標）  Ｎ９と、ＴＥＲＩＣ（登録商標）  １６Ａ３０と、オリーブ油と、塩化セトリモニウムと、水添ヒマシ油と、フェノキシエタノールとを含む。
【０１２０】
本発明の特に好ましい実施形態では、乳化剤と、増粘剤と、レオロジー改質剤と、ＵＶＲフィルタリング剤とを含むカラートリートメントされた毛髪の色を維持するための水崩壊性カラーケア錠剤が、提供される。
【０１２１】
さらに好ましい実施形態では、ＵＶＲフィルタリング剤は、メトキシケイ皮酸エチルヘキシルである。
【０１２２】
本発明の好ましい実施形態では、カラーケア錠剤は、非イオン性乳化剤と、カチオン性乳化剤と、水溶性有機ポリマーレオロジー改質剤と、脂質が豊富な増粘剤と、少なくとも１つの植物油と、ＵＶＲフィルタリング剤とを含む。
【０１２３】
本発明の好ましい実施形態では、カラーケア錠剤は、少なくとも３つの乳化剤の組み合わせを含む。より好ましい実施形態では、カラーケア錠剤は、少なくとも１０％、少なくとも１５％、または少なくとも２０％（重量比）の全濃度の乳化剤を含む。
【０１２４】
本発明の好ましい実施形態では、カラーケア錠剤は、約１５％〜２０％（重量比）の濃度における乳化剤と、約３０％〜４０％（重量比）の濃度における水溶性有機ポリマーレオロジー改質剤と、約８％〜１３％（重量比）の濃度における脂質が豊富な増粘剤と、約２％〜１０％（重量比）の濃度におけるＵＶＲフィルタリング剤と、約１０％〜２０％（重量比）の濃度における植物油とを含む。
【０１２５】
本発明の他の好ましい実施形態では、カラーケア錠剤は、約１５％〜２０％（重量比）の濃度における乳化剤と、約４０％〜４５％（重量比）の濃度における水溶性有機ポリマーレオロジー改質剤と、約１％〜３％（重量比）の濃度における脂質が豊富な増粘剤と、約０．５％〜５％（重量比）の濃度におけるＵＶＲフィルタリング剤と、約１０％〜２０％（重量比）の濃度における植物油とを含む。
【０１２６】
本発明の他の好ましい実施形態では、カラーケア錠剤は、約１５％〜２０％（重量比）の全濃度における１つ以上のカチオン性および／または非イオン性乳化剤と、約４０％〜４５％（重量比）の濃度における水溶性有機レオロジー改質剤と、約１％〜３％（重量比）の濃度における脂質が豊富な増粘剤と、約０．５％〜５％（重量比）の濃度におけるＵＶＲフィルタリング剤と、約１０％〜２０％（重量比）の濃度における植物油と、約５％〜１０％（重量比）の濃度におけるセチオールＣ５とを含む。
【０１２７】
本発明の好ましい実施形態では、カラーケア錠剤は、セテアリルアルコールと、セテアレスと、ＰＥＧ−４０００と、セチオール−Ｃ５と、ココナッツ油と、マカダミア油と、ニンジン種子油と、シアバターと、麦芽油と、ＴＥＲＩＣ（登録商標）  Ｎ９と、ＴＥＲＩＣ（登録商標）  Ｎ５と、塩化セトリモニウムと、水添ヒマシ油と、フェノキシエタノールと、メトキシケイ皮酸エチルヘキシルとを含む。
【０１２８】
本発明の好ましい実施形態では、カラーケア錠剤は、セテアリルアルコールと、セテアレスと、ＰＥＧ−４０００と、セチオール−Ｃ５と、ココナッツ油と、アーモンド油と、ラズベリー種子油と、アルガン油と、マカダミア油と、ニンジン種子油と、シアバターと、麦芽油と、ＴＥＲＩＣ（登録商標）  Ｎ９と、ＴＥＲＩＣ（登録商標）  １６Ａ３０と、塩化セトリモニウムと、水添ヒマシ油と、フェノキシエタノールと、メトキシケイ皮酸エチルヘキシルとを含む
【０１２９】
本発明の特に好ましい実施形態では、乳化剤と、増粘剤と、レオロジー改質剤とを含む毛髪の水分レベルを維持するための水崩壊性水和錠剤が、提供される。
【０１３０】
本発明の好ましい実施形態では、水和錠剤は、非イオン性乳化剤と、カチオン性乳化剤と、水溶性有機ポリマーレオロジー改質剤と、脂質が豊富な増粘剤と、少なくとも１つの植物油とを含む。
【０１３１】
本発明の好ましい実施形態では、水和錠剤は、少なくとも３つの乳化剤の組み合わせを含む。より好ましい実施形態では、水和錠剤は、少なくとも１０％または少なくとも１５％（重量比）の全濃度の乳化剤を含む。
【０１３２】
本発明の好ましい実施形態では、水和錠剤は、約１５％〜２０％（重量比）の濃度における乳化剤と、約３５％〜４５％（重量比）の濃度における水溶性有機ポリマーレオロジー改質剤と、約１０％〜１５％（重量比）の濃度における脂質が豊富な増粘剤と、約１５％〜２５％（重量比）の濃度における植物油とを含む。
【０１３３】
本発明のさらに好ましい実施形態では、水和錠剤は、約１５％〜２０％（重量比）の濃度における乳化剤と、約４０％〜４５％（重量比）の濃度における水溶性有機ポリマーレオロジー改質剤と、約１％〜３％（重量比）の濃度における脂質が豊富な増粘剤と、約１０％〜２０％（重量比）の濃度における植物油とを含む。
【０１３４】
本発明のさらに好ましい実施形態では、水和錠剤は、約１５％〜２０％（重量比）の全濃度における１つ以上のカチオン性および／または非イオン性乳化剤と、約４０％〜４５％（重量比）の濃度における水溶性有機レオロジー改質剤と、約１％〜３％（重量比）の濃度における水添ヒマシ油と、約１０％〜２０％（重量比）の濃度における植物油と、約５％〜１０％（重量比）の濃度における軟化剤とを含む。
【０１３５】
本発明の好ましい実施形態では、水和錠剤は、セテアリルアルコールと、セテアレスと、ＰＥＧ−４０００と、セチオール−Ｃ５と、ココナッツ油と、マカダミア油と、ニンジン種子油と、シアバターと、オリーブ油と、ＴＥＲＩＣ（登録商標）  Ｎ９と、ＴＥＲＩＣ（登録商標）  Ｎ５と、塩化セトリモニウムと、水添ヒマシ油と、フェノキシエタノールとを含む。
【０１３６】
本発明の好ましい実施形態では、水和錠剤は、セテアリルアルコールと、セテアレスと、ＰＥＧ−４０００と、セチオール−Ｃ５と、ココナッツ油と、マカダミア油と、ニンジン種子油と、シアバターと、オリーブ油と、アルガン油と、アーモンド油と、ヒマシ油と、ホホバ油と、ＴＥＲＩＣ（登録商標）  Ｎ９と、ＴＥＲＩＣ（登録商標）  １６Ａ３０と、塩化セトリモニウムと、水添ヒマシ油と、フェノキシエタノールとを含む。
【０１３７】
本発明の第３の側面では、発泡剤と、非イオン性界面活性剤と、崩壊剤とを含む、毛髪を浄化するための水溶性クレンジング錠剤も、提供される。
【０１３８】
クレンジング錠剤は、好ましくは、水中で溶解する圧縮乾燥錠剤である。好ましくは、クレンジング錠剤は、トリートメント錠剤のうちの１つ以上のものを用いて毛髪をトリートメントすることに先立って使用するためのものである。
【０１３９】
本発明の実施形態では、クレンジング錠剤は、５％〜３０％（重量比）に及ぶパーセンテージにおけるリン酸塩、クエン酸塩、カルシウム塩、炭酸塩、およびケイ酸塩等の緩衝塩の混合物も含む。
【０１４０】
本発明の実施形態では、クレンジング錠剤は、精油も含む。好ましくは、精油は、５％〜３０％、５％〜１０％、１０％〜３０％、または１０％〜２０％（重量比）に及ぶパーセンテージにおけるペパーミント油である。
【０１４１】
発泡剤は、石鹸泡を生成することが可能な任意の界面活性剤であり得る。好ましくは、発泡剤は、アニオン性界面活性剤である。
【０１４２】
本発明の実施形態では、クレンジング錠剤中のアニオン性界面活性剤は、ナトリウムＣ１４−Ｃ１６オレフィンスルホン酸塩、ラウレス硫酸ナトリウム、ココイルイセチオン酸ナトリウム、ラウリルスルホ酢酸ナトリウム、ラウレススルホコハク酸二ナトリウム、およびメチルココイルタウリン酸ナトリウムから成る群から選択される。
【０１４３】
発泡剤は、好ましくは、固体である。クレンジング錠剤の実施形態では、錠剤は、約１０％〜７０％（重量比）の発泡剤を含む。好ましい実施形態では、錠剤は、約２０％〜３０％、２５％〜５０％、２０％〜４０％、３０％〜５０％、４０％〜６０％、または５０％〜７０％（重量比）の発泡剤を含む。
【０１４４】
好ましい実施形態では、アニオン性界面活性剤は、ココイルイセチオン酸ナトリウム、またはラウリルスルホ酢酸ナトリウム、または、ココイルイセチオン酸ナトリウムとラウリルスルホ酢酸ナトリウムとの組み合わせである。
【０１４５】
実施形態では、クレンジング錠剤は、約２０％〜３０％、３０％〜４０％、４０％〜５０％、５０％〜６０％、または６０％〜７０％（重量比）のココイルイセチオン酸ナトリウム、またはラウリルスルホ酢酸ナトリウム、または、ココイルイセチオン酸ナトリウムとラウリルスルホ酢酸ナトリウムとの組み合わせを含む。
【０１４６】
好ましくは、クレンジング錠剤は、約２０％、３０％、４０％、５０％、６０％、または７０％（重量比）のココイルイセチオン酸ナトリウム、またはラウリルスルホ酢酸ナトリウム、または、ココイルイセチオン酸ナトリウムとラウリルスルホ酢酸ナトリウムとの組み合わせを含む。
【０１４７】
崩壊剤は、水中での錠剤の崩壊を補助する任意の化合物であり得る。崩壊剤は、錠剤が分離し始めるように水にさらされると膨張することによって、水中での錠剤の崩壊を補助し、溶解を促進し得る。
【０１４８】
本発明の実施形態では、崩壊剤は、架橋ポリマーまたは改質デンプンもしくはセルロース製品である。
【０１４９】
好ましくは、崩壊剤は、架橋ポリマーである。本発明の好ましい実施形態では、架橋ポリマーは、ポリビニルピロリドンである。
【０１５０】
他の好ましい実施形態では、崩壊剤は、微結晶性セルロースである。
【０１５１】
クレンジング錠剤の実施形態では、錠剤は、０．１％〜１０％（重量比）の崩壊剤を含む。好ましい実施形態では、錠剤は、０．１％〜５％（重量比）の崩壊剤を含む。好ましくは、クレンジング錠剤は、１％〜５％（重量比）のポリビニルピロリドンを含む。他の好ましい実施形態では、クレンジング錠剤は、０．１％〜３％の微結晶性セルロースを含む。
【０１５２】
非イオン性界面活性剤は、水と錠剤との間の表面張力を低下させることによって水中での錠剤の湿潤を補助する、任意の非荷電界面活性剤化合物であり得る。非イオン性界面活性剤は、錠剤の発泡性質にも寄与し得る。
【０１５３】
本発明の実施形態では、非イオン性界面活性剤は、アルコールポリエチレングリコールエーテルである。
【０１５４】
本発明の他の実施形態では、非イオン性界面活性剤は、サポニン群に属する両親媒性配糖体である。
【０１５５】
本発明の好ましい実施形態では、アルコールポリエチレングリコールエーテルは、アルキルポリエチレングリコールエーテルである。
【０１５６】
クレンジング錠剤の実施形態では、錠剤は、１０％〜４０％（重量比）の非イオン性界面活性剤を含む。好ましい実施形態では、錠剤は、１０％〜２０％、５％〜１５％、または２０％〜３０％（重量比）の非イオン性界面活性剤を含む。
【０１５７】
好ましくは、クレンジング錠剤は、２０％〜３０％（重量比）のアルキルポリエチレングリコールエーテルを含み得る。
【０１５８】
好ましくは、クレンジング錠剤は、１０％〜１５％（重量比）または１つ以上のサポニンを含み得る。
【０１５９】
本発明の好ましい実施形態では、クレンジング錠剤は、アニオン性界面活性剤と、架橋ポリマーと、アルコールポリエチレングリコールとを含む。特に好ましい実施形態では、クレンジング錠剤は、２０％〜３０％（重量比）のココイルイセチオン酸ナトリウムと、１％〜５％（重量比）のポリビニルピロリドンと、２０％〜３０％（重量比）のアルキルポリエチレングリコールエーテルと、緩衝塩とを含む。
【０１６０】
本発明の好ましい実施形態では、クレンジング錠剤は、アニオン性界面活性剤と、微結晶性セルロースと、１つ以上のサポニンとを含む。特に好ましい実施形態では、クレンジング錠剤は、５０％〜６０％（重量比）のココイルイセチオン酸ナトリウムと、０．１％〜３％（重量比）の微結晶性セルロースと、１０％〜２０％（重量比）のサポニンと、緩衝塩とを含む。
【０１６１】
本発明の好ましい実施形態では、クレンジング錠剤は、アニオン性界面活性剤と、微結晶性セルロースと、サポニンとを含む。特に好ましい実施形態では、クレンジング錠剤は、５０％〜６０％（重量比）のココイルイセチオン酸ナトリウムと、１％〜１０％（重量比）のラウリルスルホ酢酸ナトリウムと、０．１％〜３％（重量比）の改質セルロース製品と、１０％〜１５％（重量比）のサポニンと、緩衝塩とを含む。
【０１６２】
本発明のクレンジング錠剤は、保存剤、防腐剤、軟化剤、芳香剤、活性剤、賦形剤、希釈剤、および着色剤も含み得ることが当業者によって理解されるであろう。
【０１６３】
本発明の錠剤は、本発明のシャワーヘッド装置内での使用のために好適な任意の形状またはサイズにおいて製造され得る。好ましくは、錠剤は、約３〜７グラムである。より好ましくは、錠剤は、約５グラムである。
【０１６４】
本発明の第４の側面では、非イオン性乳化剤と、カチオン性乳化剤と、カチオン性シリコーンエマルションとを含む、本発明の錠剤のうちの１つ以上のものを用いて毛髪を浄化および／またはトリートメントした後に使用するためのトリートメントスプレーも、提供される。
【０１６５】
本発明の実施形態では、トリートメントスプレーは、保存剤をさらに含む。保存剤は、前述で説明されるような任意の保存剤であり得る。好ましくは、保存剤は、フェノキシエタノールである。
【０１６６】
本発明の実施形態では、トリートメントスプレーは、０．１％〜５％（重量比）の保存剤を含む。好ましくは、トリートメントスプレーは、０．１％〜０．５％（重量比）のフェノキシエタノールを含む。
【０１６７】
非イオン性乳化剤は、前述で説明されるような任意の非イオン性乳化剤であり得る。好ましくは、非イオン性乳化剤は、Ｔｗｅｅｎ乳化剤である。
【０１６８】
本発明の好ましい実施形態では、トリートメントスプレーは、非イオン性乳化剤であるＴｗｅｅｎ−２０を含む。
【０１６９】
本発明の実施形態では、トリートメントスプレー中の非イオン性乳化剤の濃度は、約０．１％〜１０％（重量比）である。好ましい実施形態では、トリートメントスプレー中の非イオン性乳化剤の濃度は、約０．５％〜５％（重量比）である。
【０１７０】
好ましい実施形態では、トリートメントスプレーは、約０．５％〜５％（重量比）の濃度におけるＴｗｅｅｎ乳化剤を含む。本発明の好ましい実施形態では、トリートメントスプレーは、約１％〜３％（重量比）の濃度におけるＴｗｅｅｎ−２０を含む。
【０１７１】
カチオン性乳化剤は、前述で定義されるような任意のカチオン性乳化剤であり得る。本発明の実施形態では、カチオン性乳化剤は、塩化ベンザルコニウム、塩化ベンゼトニウム、塩化ステアラルコニウム、および塩化セトリモニウムから成る群から選択される第４級アミン乳化剤である。
【０１７２】
本発明の好ましい実施形態では、トリートメントスプレーは、塩化セトリモニウムを含む。
【０１７３】
本発明の実施形態では、トリートメントスプレー中のカチオン性乳化剤の濃度は、約５％〜２０％（重量比）である。好ましい実施形態では、トリートメントスプレー中のカチオン性乳化剤の濃度は、約１０％〜１５％（重量比）である。
【０１７４】
好ましい実施形態では、トリートメントスプレー中のカチオン性乳化剤は、塩化セトリモニウムであり、約１０％〜１５％（重量比）の濃度において存在する。
【０１７５】
カチオン性シリコーンエマルションは、シリコーンと、カチオン性アミン乳化剤と、レオロジー改質剤とを含む、任意の安定化された正荷電エマルションであり得る。正荷電エマルションは、負荷電毛髪に対して親和性を有するであろうことを理解されたい。
【０１７６】
好ましい実施形態では、トリートメントスプレーは、約５％〜１５％（重量比）のカチオン性シリコーンエマルションを含む。
【０１７７】
シリコーンは、アミン官能化シリコーンポリマーであり、アミノプロピルジメチコン、アモジメチコン、ビスアミノプロピルジメチコン、ジメチコン、およびトリメチルシリルアモジメチコンから成る群から選択される任意のポリマーであり得る。好ましくは、カチオン性シリコーンエマルション中のアミン官能化シリコーンポリマーは、アモジメチコンである。
【０１７８】
本発明の好ましい実施形態では、カチオン性シリコーンエマルションは、約５％〜５０％（重量比）の濃度におけるアミン官能化シリコーンポリマーを含み得る。より好ましくは、カチオン性シリコーンエマルションは、約２０％〜５０％（重量比）の濃度におけるアミン官能化シリコーンポリマーを含む。さらに好ましい実施形態では、カチオン性シリコーンエマルションは、約３０％〜４０％（重量比）の濃度におけるアミン官能化シリコーンポリマーを含む。
【０１７９】
特に好ましい実施形態では、カチオン性シリコーンエマルションは、約３０％〜４０％（重量比）の濃度におけるアモジメチコンを含む。
【０１８０】
本発明の他の好ましい実施形態では、カチオン性シリコーンエマルションは、約３０％、３５％、または４０％（重量比）の濃度におけるアモジメチコンを含む。
【０１８１】
レオロジー改質剤は、前述で定義されるような任意のレオロジー改質剤であり得、レオロジー改質剤は、カチオン性シリコーンエマルションを安定化させることに役立つことを理解されたい。好ましくは、レオロジー改質剤は、例えば、ポリエチレングリコールのトリデシルエーテル等のポリエチレングリコールのエーテルである。
【０１８２】
カチオン性アミン乳化剤は、前述で定義されるような任意のカチオン性アミン乳化剤であり得る。好ましくは、カチオン性アミン乳化剤は、塩化セトリモニウムである。
【０１８３】
本発明の好ましい実施形態では、トリートメントスプレーは、Ｔｗｅｅｎ乳化剤と、第４級アミン乳化剤と、カチオン性シリコーンエマルションとを含む。特に好ましい実施形態では、トリートメントスプレーは、１％〜３％（重量比）のＴｗｅｅｎ−２０と、１０％〜１５％（重量比）のカチオン性シリコーンエマルションと、１０％〜１５％（重量比）の塩化セトリモニウムと、保存剤とを含む。
【０１８４】
本発明の第５の側面では、アニオン性乳化剤と、カチオン性乳化剤と、増粘剤と、植物油とを含む、本発明の錠剤のうちの１つ以上のものを用いて毛髪を浄化および／またはトリートメントした後に使用するためのクリームスプレーも、提供される。
【０１８５】
カチオン性乳化剤は、前述で定義されるような任意のカチオン性乳化剤であり得る。好ましくは、カチオン性乳化剤は、塩化セトリモニウムである。
【０１８６】
本発明の実施形態では、クリームスプレー中のカチオン性乳化剤の全濃度は、約１％〜１０％（重量比）である。好ましい実施形態では、クリームスプレー中のカチオン性乳化剤の全濃度は、約１％〜７％、２％〜６％、３％〜５％、または約４％（重量比）である。
【０１８７】
好ましい実施形態では、錠剤中のカチオン性乳化剤は、塩化セトリモニウムであり、約１％〜２％、２％〜３％、３％〜５％、４％〜６％、または８％〜１０％（重量比）の濃度において存在する。
【０１８８】
アニオン性乳化剤は、前述で定義されるような任意のアニオン性乳化剤であり得る。好ましくは、アニオン性乳化剤は、例えば、グリセリルステアレートクエン酸等のグリセロールエステルまたはその誘導体である。他の実施形態では、アニオン性乳化剤は、ココイルイセチオン酸ナトリウムである。さらなる実施形態では、アニオン性乳化剤は、グリセロールエステルまたはその誘導体およびココイルイセチオン酸ナトリウムの組み合わせである。
【０１８９】
特に好ましい実施形態では、本発明のクリームスプレーは、約１％〜１０％、５％〜２０％、１％〜５％、３％〜８％、または８％〜１０％（重量比）の濃度におけるグリセロールエステルおよび／または塩化セトリモニウムを含む。
【０１９０】
特に好ましい実施形態では、本発明のクリームスプレーは、約３％、４％、５％、６％、７％、または１０％（重量比）の濃度におけるステアリン酸グリセリルまたはその誘導体を含む。
【０１９１】
特に好ましい実施形態では、本発明のクリームスプレーは、約１％、２％、２％、４％、５％、６％、７％、８％、または９％、もしくは１０％（重量比）の濃度における塩化セトリモニウムを含む。
【０１９２】
増粘剤は、前述で定義されるような任意の増粘剤であり得る。好ましくは、増粘剤は、例えば、水添ヒマシ油等の脂質が豊富な作用物質である。
【０１９３】
本発明の好ましい実施形態では、錠剤は、約０．５％〜１５％（重量比）の濃度における増粘剤を含み得る。より好ましくは、錠剤は、約５〜１５％、１％〜１％、１％〜５％、または２％〜４％（重量比）の濃度における水添ヒマシ油を含む。
【０１９４】
植物油は、前述で定義されるような任意の植物油であり得る。本発明の好ましい実施形態では、植物油は、マカダミア油、オリーブ油、ホホバ油、ラズベリー種子油、およびアーモンド油から成る群から選択される少なくとも１つの油を含む。
【０１９５】
好ましい実施形態では、クリームスプレーは、少なくとも２％、少なくとも５％、少なくとも１０％、少なくとも１５％、少なくとも２０％、または少なくとも３０％（重量比）の植物油を含み得る。
【０１９６】
他の好ましい実施形態では、クリームスプレーは、約５％〜２０％または５％〜１５％（重量比）の植物油を含み得る。
【０１９７】
実施形態では、クリームスプレーは、軟化剤をさらに含む。軟化剤は、前述で定義されるような任意の軟化剤であり得る。好ましくは、軟化剤は、セチオールＣ５である。本発明の好ましい実施形態では、クリームスプレーは、約５％〜２０％（重量比）の濃度における軟化剤を含み得る。より好ましくは、クリームスプレーは、約５％〜１５％（重量比）の濃度における軟化剤を含み得る。他の好ましい実施形態では、クリームスプレーは、約６％〜１２％（重量比）の濃度における軟化剤を含み得る。本発明のさらに好ましい実施形態では、クリームスプレーは、約５％〜１５％、５％〜１０％、または１０％〜１２％（重量比）の濃度におけるセチオール−Ｃ５を含む。
【０１９８】
本発明の好ましい実施形態では、クリームスプレーは、１％〜５％（重量比）の塩化セトリモニウムと、１％〜５％（重量比）のグリセリルステアレートクエン酸と、１％〜３％（重量比）のココイルイセチオン酸ナトリウムと、１％〜５％の水添ヒマシ油と、５％〜１０％の植物油とを含む。
【０１９９】
本発明の好ましい実施形態では、クリームスプレーは、１％〜１０％（重量比）のカチオン性乳化剤と、１％〜５％（重量比）のグリセリルステアレートクエン酸と、１％〜５％（重量比）のアニオン性乳化剤と、１％〜１０％のレオロジー改質剤と、５％〜１０％の植物油と、５％〜１０％（重量比）の軟化剤とを含む。
【０２００】
本発明の第６の側面では、シリコーンまたはその誘導体と、ＵＶＲフィルタリング剤と、植物油とを含む、本発明の錠剤のうちの１つ以上のものを用いて毛髪を浄化および／またはトリートメントした後に使用するための仕上げスプレーも、提供される。
【０２０１】
シリコーンは、毛髪トリートメントのために好適な任意のシリコーン製品またはその誘導体であり得る。非限定的例では、シリコーンは、有機ケイ素化合物である。
【０２０２】
好ましい実施形態では、シリコーンまたはその誘導体は、非水溶性であるか、または少なくとも部分的に非水溶性である。非水溶性または部分的に非水溶性のシリコーンの非限定的例は、セテアリルメチコン、セチルジメチコン、シクロペンタシロキサン、ジメチコン、フェニルトリメチコン、ステアリルジメチコン、トリメチルシリルアモジメチコン、アモジメチコン、シクロヘキサシロキサン、アミノプロピルジメチコン、およびビスアミノプロピルジメチコンを含む。
【０２０３】
本発明の好ましい実施形態では、シリコーンまたはその誘導体は、シクロペンタシロキサンである。好ましい実施形態では、仕上げスプレーは、少なくとも１０％、少なくとも２０％、少なくとも３０％、少なくとも４０％、少なくとも７０％、または少なくとも８０％（重量比）の有機ケイ素を含む。他の好ましい実施形態では、仕上げスプレーは、非水溶性または少なくとも部分的に非水溶性である約２０％〜６０％もしくは５０％〜９０％（重量比）の有機ケイ素化合物を含む。本発明の好ましい実施形態では、シリコーンまたはその誘導体は、シクロペンタシロキサンである。好ましい実施形態では、仕上げスプレーは、少なくとも１０％、少なくとも２０％、少なくとも３０％、少なくとも４０％、少なくとも７０％、または少なくとも８０％（重量比）のシクロペンタシロキサンを含む。
【０２０４】
植物油は、前述で定義されるような任意の植物油であり得る。本発明の好ましい実施形態では、植物油は、ラズベリー種子油、ニンジン種子油、および麦芽油からなる群から選択される少なくとも１つの油を含む。
【０２０５】
好ましい実施形態では、仕上げスプレーは、少なくとも１％、少なくとも２％、少なくとも３％、少なくとも４％、少なくとも７％、または少なくとも１０％（重量比）の植物油を含む。他の好ましい実施形態では、仕上げスプレーは、約１％〜１０％または１％〜５％（重量比）の植物油を含み得る。
【０２０６】
ＵＶＲフィルタ剤は、前述で定義されるような任意のフィルタリング剤であり得る。本発明の好ましい実施形態では、仕上げスプレーは、１０％未満（重量比）の濃度における１つ以上のＵＶＲフィルタリング剤を含み得る。より好ましくは、仕上げスプレーは、５％未満（重量比）の濃度における１つ以上のＵＶＲフィルタリング剤を含み得る。他の好ましい実施形態では、仕上げスプレーは、３％未満（重量比）または約０．５％〜２％（重量比）の濃度における１つ以上のＵＶＲフィルタリング剤を含み得る。
【０２０７】
実施形態では、仕上げスプレーは、軟化剤をさらに含む。軟化剤は、前述で定義されるような任意の軟化剤であり得る。好ましくは、軟化剤は、セチオールＣ５である。本発明の好ましい実施形態では、仕上げスプレーは、約５％〜２０％（重量比）の濃度における軟化剤を含み得る。より好ましくは、クリーム仕上げスプレーは、約５％〜１５％（重量比）の濃度における軟化剤を含み得る。本発明のさらに好ましい実施形態では、仕上げスプレーは、約５％〜１５％、５％〜１０％、または７％〜１０％（重量比）の濃度におけるセチオール−Ｃ５を含む。
【０２０８】
本発明の好ましい実施形態では、仕上げスプレーは、１％〜５％（重量比）の植物油と、１０％〜９０％（重量比）の有機ケイ素と、１％〜３％（重量比）のＵＶフィルタリング剤と、５％〜１０％（重量比）の軟化剤とを含む。
【０２０９】
本発明の好ましい実施形態では、仕上げスプレーは、１％〜５％（重量比）の植物油と、１０％〜９０％（重量比）の有機ケイ素と、１％〜３％（重量比）のＵＶＲフィルタリング剤と、５％〜１０％（重量比）の軟化剤とを含む。
【０２１０】
本発明の好ましい実施形態では、仕上げスプレーは、１％〜５％（重量比）の植物油と、５０％〜９０％（重量比）のシクロペンタシロキサンと、１％〜３％（重量比）のＵＶフィルタリング剤と、５％〜１０％（重量比）のセチオールＣ５とを含む。
【０２１１】
本発明のスプレーのうちのいずれかは、追加の保存剤、防腐剤、軟化剤、芳香剤、活性剤、賦形剤、希釈剤、および着色剤も含み得ることが当業者によって理解されるであろう。
（定義）
【０２１２】
本発明の文脈では、単語「〜を備えている（ｃｏｍｐｒｉｓｅ）」、「〜を備えている（ｃｏｍｐｒｉｓｉｎｇ）」等は、「限定ではないが、〜を含む（ｉｎｃｌｕｄｉｎｇ，  ｂｕｔ  ｎｏｔ  ｌｉｍｉｔｅｄ  ｔｏ）」の意味において、それらの排他的意味とは対照的に、それらの包括的意味において解釈されるものである。
【図面の簡単な説明】
【０２１３】
本発明の好ましい実施形態が、ここで、付随の図面を参照して、例としてのみ説明されるであろう。
【０２１４】
【図１】図１は、本発明の第１の側面による、第１の実施形態のハンドヘルドシャワーヘッドの斜視図である。
【０２１５】
【図２】図２は、図１に示されるシャワーヘッドの構成要素の分解図である。
【０２１６】
【図３】図３は、ホースアダプタを伴う前述の図のシャワーヘッドの正面図である。
【０２１７】
【図４】図４は、図３の線４−４上で得られるシャワーヘッドの断面図である。
【０２１８】
【図５】図５は、中空本体への水入口の断面形状を図示する、図４の線５−５上で得られるシャワーヘッドの断面部分図である。
【０２１９】
【図６】図６は、図４の線６−６上で得られる断面図である。
【０２２０】
【図７】図７は、前述の図に示されるメッシュ構造物の拡大斜視図である。
【０２２１】
【図８】図８（ａ）および８（ｂ）は、前述の図のシャワーヘッドにおいて使用するためのワックス式（包装）トリートメント錠剤および圧縮粉末（非包装）トリートメント錠剤の好ましい形状のさらなるサンプルを示す。
【０２２２】
【図９】図９は、使用の間のシャワーヘッド内の水流および錠剤移動を示すように注釈を付けられた、図４に示されるようなシャワーヘッドの拡大断面図である。
【０２２３】
【図１０】図１０は、水崩壊性錠剤を伴う開放構成におけるメッシュポッドの側面図である。
【０２２４】
【図１１】図１１は、示されるような図１０のメッシュポッドとの使用のために修正されるようなシャワーヘッドの拡大断面図である。
【発明を実施するための形態】
【０２２５】
本発明は、ここで、あらゆる点で例証的かつ非制限的として見なされるべきである、以下の例を参照して説明されるであろう。
【０２２６】
図面を参照すると、本発明による、第１の実施形態のハンドヘルドシャワーヘッド１が、示される。シャワーヘッドは、中空本体部分２を含み、中空本体部分２は、水入口３と、有孔板５における穿孔４の形態における水出口とを有する。
【０２２７】
板５に隣接して配置される、概して、６において示される固定メッシュ構造物が、提供される。メッシュ構造物６は、有孔板からわずかに間隔を置かれ、好ましくは、理想的には中心に位置するボウル様クレードル部分８を含む。図示される実施形態におけるメッシュ構造物は、有孔板を完全に横断して延び、クレードル部分８は、略平坦基部領域９と、わずかに傾斜する側１０とを有する。このクレードル形状は、適切にサイズ決定および成形されたトリートメント錠剤１１が使用に先立ってシャワーヘッド内に最初に挿入されるとき、錠剤１１をおおよそ配置し、錠剤１１が有孔板に向かって移動するように作動し、傾斜側は、水流によってメッシュに向かって押し進められるゆっくりと崩壊する錠剤を乱流領域および／または中空本体の中心部分に戻すように偏向させることに役立つように作動する。好ましくは、メッシュは、中空本体内および有孔板５を通した通常の流動に最小の乱れを提供するように構成される。
【０２２８】
図示される実施形態では、クレードルは、可撤性である。これは、要求される場合、この特徴を含むように別様に好適に構成されたシャワーヘッドの随意の変換を促進し、または、特徴が必要とされない場合、省略されることを促進する。これは、延長カラー１２を提供することによって可能にされ、延長カラー１２は、シール１３を有し、シール１３は、ねじ山付きヘッド出口開口部１４と通常出口板アセンブリとの間に挿入され得、通常出口板アセンブリは、板保持リング１５、有孔板５、およびシール１６を含む。
【０２２９】
現在開発されている他の実施形態では、追加のカラー１２およびシール１３は、要求されず、メッシュは、出口アセンブリと一体的に形成されている。
【０２３０】
中空本体２の入口端および入口３から延びているものは、端部カバー２０に接続されるハンドル部分１８であり、ハンドル部分１８は、水フィルタと、好適な水供給源（図示せず）に接続されるホースへの取り付けのための接続栓１９とを含む。栓とホース（図示せず）との間に挿入されるアダプタも、要求される場合、異なるタイプのホースへの接続を可能にするために提供され得る。
【０２３１】
ハンドル自体の設計と出口板５に対する傾斜の角度とは、好ましくは、人間工学的であるように選択され、オペレータによる快適な長期使用を可能にする。
【０２３２】
ハンドル設計に加えて、中空本体も、本体内で乱流を達成するように注意深く構成される。図４、５、および９に図示されるような１つの特に好ましい形態では、入口３は、略スリット様構成を有し、それは、有孔板５に向かってわずかに傾斜された中空本体の後壁２２に密接に隣接して退出する。これは、水流が板に向かって曲げられるようにする。板内の開口が非常に小さいので、全ての水が、自由に退出できるわけではなく、その結果、乱流の略循環流動パターンが、図９に図示されるように誘発される。
【０２３３】
望ましくは、シャワーヘッドは、水流が中空本体に進入する前に水流を前処理する手段も含む。図示されるような１つの好ましい形態では、これは、中空本体への入口の上流に配置される曝気前処理チャンバ２４の提供によって達成される。一実施形態では、処理および／または曝気は、前処理チャンバ内に微粒子状物質を閉じ込めて配置することによって達成され、それによって、微粒子状物質の周囲でのこのチャンバを通した水の通行は、空気の気泡が作成されることを引き起こし、空気の気泡は、水とともに通過し中空本体の中に入る。空気は、有孔板を通しても中空本体の中に取り込まれ得、有孔板は、好ましくは、デバイスの外側から視認されると、わずかに凹状である。
【０２３４】
好ましくは、微粒子状物質は、図９に示されるようなビーズ２５の形態である。より好ましくは、微粒子状物質は、例えば、水をイオン化することによってその性質を強化するように水と相互作用もする材料を備えている。好適なビーズ材料は、トルマリン、銀、白鉛鉱、ビタミンＣ、ビタミンＤ、およびＫｏａ  Ｇｌａｓｓ  Ｃｏｍｐａｎｙによって生産され、徐々に放出されるガラス網目構造中に保持される銀イオンを伴う抗菌性ガラス粉末であるＭｉｌｌｉｏｎ  ＧｕａｒｄＴＭ等の製品を含む。
【０２３５】
望ましくは、シャワーヘッドは、使用時、水が、上側領域から中空本体に進入し、それによって、滝様流れを作成するように構成され、滝様流れは、次に、中空本体内の下側のぬれた面と衝突することによってレナード効果を強化し、負イオンを生産する。そのようなイオンは、ぬれた微粒子状物質が含まれる場合、水が前処理チャンバ内のぬれた微粒子状物質と衝突するので、すでに存在していることもある。
【０２３６】
好ましくは、シャワーヘッドは、塩素等の不要な不純物を濾過して除去する手段も含む。これは、負イオンを生成する手段の一部であるか、またはそれと別個であり得る。
【０２３７】
追加の微細メッシュフィルタ２６も、シャワーヘッド内、好ましくは、図９に図示されるようなハンドル内に含まれ得る。
【０２３８】
好ましくは、シャワーヘッドおよび崩壊性錠剤は、典型的な圧力および毛髪洗浄温度における温水供給源との使用中、錠剤が、約２〜４分で崩壊し、水分散トリートメントの流動をユーザに提供するように構成される。シャワーヘッドへの典型的な水入口圧力の例は、５０〜２００ＫＰａの圧力範囲、摂氏１０〜４０度、好ましくは、摂氏２５〜３２度の温度範囲、および流量調整器によって制御され得るような１分あたり４〜１２リットル、好ましくは、１分あたり５〜８リットルの出口流率を含む。しかしながら、装置および錠剤は、要求される場合、異なる動作条件下で機能するように構成され得ることを理解されたい。
【０２３９】
１つの好ましい形態では、シャワーヘッドは、増加圧力低減水使用シャワーヘッドとして機能するように構成される。
【０２４０】
１つの好ましい形態では、増加圧力および低減水使用は、少なくとも部分的に０．２〜０．３５ミリメートルの厚さ範囲と、好ましくは、直径が０．０２〜０．０３ミリメートルの丸形形状の穿孔とを有し、合計で約３００〜５００個の穿孔、より好ましくは、約４００個の穿孔を伴う、有孔板の使用によって達成される。好ましくは、穿孔のパターンは、集束スプレーパターンを提供するために、有孔板の中心領域の周囲に集中するように配列され、板の全周外側部分に広がらず、それによって、（トリートメントの有無を問わず）水は、トリートメントを受ける頭部の領域に注意深く導かれ、スプレーがトリートメント洗面器を越えて広がるリスクを低減させることができる。好ましくは、中空本体への入口は、中空本体に進入する水の圧力を増加させるために小さい。１つの好ましい形態では、入口は、約１０〜１４ｍｍの最大長および約２〜３ｍｍの最大幅を伴うスリット開口部の形態である。同一の原理が、前処理チャンバへの入口および板内の穿孔等の他の開口部に適用される。
【０２４１】
好ましくは、崩壊性錠剤は、使用時、退出する水流中への錠剤の漸進的崩壊を引き起こすように、錠剤が流動に巻き込まれ、メッシュ構造物６に対して繰り返し衝突させられるように、シャワーヘッド１の中空本体内の乱流によって容易に運搬されるであろう形状を有する。好適な形状の一例が、図２に示される。この点で、１つの略平坦主面の組み込みが、錠剤が乱流内で容易に運搬されることを確実にすることを補助し得ることが見出されている。
【０２４２】
図１０および１１に示されるもの等の本発明の別の形態では、メッシュは、茶こしと類似する様式で錠剤をカプセルに包み、メッシュポッド３０を利用するように設計され得、それによって、メッシュポッド全体が、乱流内で移動し、錠剤は、すり減る様式でメッシュポッド内で移動し、それによって、有孔板から退出する水流中に分散させられる。メッシュポッドは、それが、要求に応じて、トリートメント錠剤を受け取るように開放され得る限り、任意の好適な形状であり得る。図１０に示される例では、ポッドは、３３においてヒンジ式に接続され、キャッチ３４を介して閉鎖可能である２つの半体構造物３１および３２を含む。
【０２４３】
本発明による好ましい毛髪トリートメントシステムでは、錠剤は、クレンザと、ある範囲のトリートメント錠剤とを含む。一範囲では、クレンジング錠剤は、圧縮粉末形態であり、トリートメント錠剤は、ワックス様形態である。ワックス様深部トリートメントまたはコンディショニング錠剤のための１つの好ましい形状の例が、カプセル式包装において図８（ａ）に示され、圧縮粉末クレンジング錠剤（非包装）の例が、図８（ｂ）に示される。本発明のワックス様トリートメント錠剤の使用は、毛髪トリートメントのために好ましいが、そのような錠剤は、有孔出口スクリーンに対して軟化し、孔を閉塞する傾向を有することを理解されたい。しかしながら、本発明のシャワー装置のメッシュ構造物は、それが閉塞が起きることを防止するので、この形態の錠剤の使用を可能にするように動作する。
【０２４４】
クレンジングおよびトリートメント錠剤のための好適な調合の例が、本発明のシャワーヘッドおよび錠剤を使用する推奨されるトリートメント手順の詳細とともに、下で記載される。
【０２４５】
本発明のシャワーヘッド装置内での使用のためのクレンジング錠剤の好ましい実施形態は、約２０％（重量比）のペパーミント精油と、約２７％（重量比）のアルキルポリエチレングリコールエーテルと、約２５％（重量比）のココイルイセチオン酸ナトリウムと、約３．５％（重量比）のポリビニルピロリドンと、約２５％の緩衝塩とを含む。
【０２４６】
本発明のシャワーヘッド装置内での使用のためのクレンジング錠剤の別の好ましい実施形態は、約８％（重量比）のペパーミント精油と、約５％（重量比）のラウリルスルホ酢酸ナトリウムと、約６０％（重量比）のココイルイセチオン酸ナトリウムと、約１２．５％（重量比）のサポニンと、約０．５％（重量比）の微結晶性セルロースと、約５％（重量比）のステアリン酸カルシウムと、約５％（重量比）のクエン酸とを含む。
【０２４７】
本発明のシャワーヘッド装置内での使用のための強化トリートメント錠剤の好ましい実施形態は、約３％（重量比）のＥｍｕｌｇａｄｅ（登録商標）  １０００ＮＩと、約２９％（重量比）のＰＥＧ−４０００と、約７％（重量比）のセチオール−Ｃ５と、約５％（重量比）のＴｗｅｅｎ−８０と、約４．５％（重量比）の塩化セトリモニウムと、約１％（重量比）のＴＥＲＩＣ（登録商標）  Ｎ９と、約５％（重量比）の水添ヒマシ油と、約１．３％（重量比）のフェノキシエタノールと、約６％（重量比）のＴＥＲＩＣ（登録商標）  ＢＬ８と、約４％（重量比）のＴＥＲＩＣ（登録商標）  Ｎ５と、約２０％（重量比）の植物油とを含み、錠剤は、約８％（重量比）のアルガン油を含む。
【０２４８】
本発明のシャワーヘッド装置内での使用のための強化トリートメント錠剤の別の好ましい実施形態は、約４％（重量比）のＥｍｕｌｇａｄｅ（登録商標）  １０００ＮＩと、約４３％（重量比）のＰＥＧ−４０００と、約７％（重量比）のセチオール−Ｃ５と、約６％（重量比）のＴＥＲＩＣ（登録商標）  １６Ａ３０と、約７．５％（重量比）の塩化セトリモニウムと、約０．５％（重量比）のＴＥＲＩＣ（登録商標）  Ｎ９と、約２％（重量比）の水添ヒマシ油と、約１．０％（重量比）のフェノキシエタノールと、約１％（重量比）のダイズタンパク質抽出物と、約１６％（重量比）の植物油とを含み、錠剤は、約２％（重量比）のアルガン油および／またはマルラ油を含む。
【０２４９】
本発明のシャワーヘッド装置内での使用のためのカラーケア錠剤の好ましい実施形態は、約５．５％（重量比）のＥｍｕｌｇａｄｅ（登録商標）  １０００ＮＩと、約３４％（重量比）のＰＥＧ−４０００と、約８％（重量比）のセチオール−Ｃ５と、約５．５％（重量比）の塩化セトリモニウムと、約１％（重量比）のＴＥＲＩＣ（登録商標）  Ｎ９と、約１０％（重量比）の水添ヒマシ油と、約２．５％（重量比）のフェノキシエタノールと、約５％（重量比）のＴＥＲＩＣ（登録商標）  Ｎ５と、約５％（重量比）のメトキシケイ皮酸エチルヘキシルと、約１５％（重量比）の植物油とを含む。
【０２５０】
本発明のシャワーヘッド装置内での使用のためのカラーケア錠剤のさらに好ましい実施形態は、約５％（重量比）のＥｍｕｌｇａｄｅ（登録商標）  １０００ＮＩと、約４３％（重量比）のＰＥＧ−４０００と、約７％（重量比）のセチオール−Ｃ５と、約６％（重量比）のＴＥＲＩＣ（登録商標）  １６Ａ３０と、約７．５％（重量比）の塩化セトリモニウムと、約０．５％（重量比）のＴＥＲＩＣ（登録商標）  Ｎ９と、約２％（重量比）の水添ヒマシ油と、約１．０％（重量比）のフェノキシエタノールと、約２％（重量比）のメトキシケイ皮酸エチルヘキシルと、約１５％（重量比）の植物油とを含む。
【０２５１】
本発明のシャワーヘッド装置内での使用のための水和錠剤の好ましい実施形態は、約４％（重量比）のＥｍｕｌｇａｄｅ（登録商標）  １０００ＮＩと、約４０％（重量比）のＰＥＧ−４０００と、約４％（重量比）のセチオール−Ｃ５と、約６％（重量比）の塩化セトリモニウムと、約１％（重量比）のＴＥＲＩＣ（登録商標）  Ｎ９と、約１１％（重量比）の水添ヒマシ油と、約２．５％（重量比）のフェノキシエタノールと、約６％（重量比）のＴＥＲＩＣ（登録商標）  Ｎ５と、約１６％（重量比）の植物油とを含む。
【０２５２】
本発明のシャワーヘッド装置内での使用のための水和錠剤の別の好ましい実施形態は、約５％（重量比）のＥｍｕｌｇａｄｅ（登録商標）  １０００ＮＩと、約４３％（重量比）のＰＥＧ−４０００と、約８％（重量比）のセチオール−Ｃ５と、約６％（重量比）のＴＥＲＩＣ（登録商標）  １６Ａ３０と、約７．５％（重量比）の塩化セトリモニウムと、約０．５％（重量比）のＴＥＲＩＣ（登録商標）  Ｎ９と、約２％（重量比）の水添ヒマシ油と、約１．０％（重量比）のフェノキシエタノールと、約１６％（重量比）の植物油とを含む。
【０２５３】
本発明のシャワーヘッド装置とともに本発明の１つ以上の錠剤を使用して毛髪を浄化および／またはトリートメントした後に使用するためのトリートメントスプレーの好ましい実施形態は、約１．５％（重量比）のＴｗｅｅｎ−２０と、約１２．５％（重量比）の塩化セトリモニウムと、約０．５％（重量比）のフェノキシエタノールと、約１０％（重量比）のカチオン性シリコーンエマルションと、水とを含む。
【０２５４】
本発明のシャワーヘッド装置とともに本発明の１つ以上の錠剤を使用して毛髪を浄化および／またはトリートメントした後に使用するためのクリームスプレーの好ましい実施形態は、約４％（重量比）の塩化セトリモニウムと、約３．５％（重量比）のグリセリルステアレートクエン酸と、２％（重量比）のココイルイセチオン酸ナトリウムと、約３％（重量比）の水添ヒマシ油と、約１０％（重量比）のセチオールＣ５と、６％の植物油とを含む。
【０２５５】
本発明のシャワーヘッド装置とともに本発明の１つ以上の錠剤を使用して毛髪を浄化および／またはトリートメントした後に使用するための仕上げスプレーの好ましい実施形態は、４％（重量比）の植物油と、８５％（重量比）のシクロペンタシロキサンと、２％（重量比）のメトキシケイ皮酸エチルヘキシルと、１％（重量比）のフェノキシエタノールと、８％（重量比）のセチオールＣ５とを含む。
（毛髪トリートメントの方法）
【０２５６】
本発明の好ましい実施形態では、毛髪トリートメントの方法も提供され、方法は、
約２〜３分にわたってクレンジング錠剤を備えているシャワー装置を用いて毛髪を濯ぐステップ、および／または、
約２〜３分にわたってトリートメント錠剤を備えているシャワー装置を用いて毛髪を濯ぐステップと、
随意に、浄化および／またはトリートメント後に、約３〜６ｍｌのトリートメントスプレー、クリームスプレー、または仕上げスプレーを用いて毛髪にスプレーするステップと
を含む。
【０２５７】
本発明は、具体的例を参照して説明されたが、本発明は、多くの他の形態において具現化され得ることが当業者によって理解されるであろう。
【図１】
2020507367.tif 000003
【図２】
2020507367.tif 000004
【図３】
2020507367.tif 000005
【図４】
2020507367.tif 000006
【図５】
2020507367.tif 000007
【図６】
2020507367.tif 000008
【図７】
2020507367.tif 000009
【図８（ａ）】
2020507367.tif 000010
【図８（ｂ）】
2020507367.tif 000011
【図９】
2020507367.tif 000012
【図１０】
2020507367.tif 000013
【図１１】
2020507367.tif 000014
【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
水崩壊性錠剤形態トリートメント源から連続用量の水分散トリートメントを送達するように構成されたシャワーヘッドであって、前記シャワーヘッドは、
１つの領域における狭い制限された水入口開口部と別の領域における水出口とを有する中空の閉塞されていないシャワーヘッド本体であって、前記水出口は、有孔板によって画定されている、中空の閉塞されていないシャワーヘッド本体と、
前記水入口開口部と前記有孔板との間の前記中空本体内に配置されたメッシュ構造物と
を含み、
前記狭い制限された水入口開口部は、前記有孔板に向かって略傾斜されている前記中空本体の後壁に密接に隣接して退出し、前記中空本体の全体的形状と前記有孔板の構成との組み合わせは、使用時、前記有孔板を通って退出することに先立って前記閉塞されていない中空のシャワーヘッド本体内で加圧された回転する乱流水流を生成し、前記メッシュ構造物は、前記中空本体と共に、前記有孔板を通して外への前記加圧された回転する乱流水流に最小の乱れを提供するように構成され、それによって、使用に先立ち前記中空本体の中に導入された、好適に構成された水崩壊性固体錠剤形態トリートメント源は、前記回転する乱流水流によって、すり減る様式で前記メッシュ構造物に対して攪拌されるように、実質的に前記水流を閉塞せずに前記閉塞されていない中空本体内でおよびそれにわたって自由に移動し、それによって、前記有孔板から退出する前記水流中に分散させられる、シャワーヘッド。
【請求項２】
前記メッシュ構造物は、固定メッシュ構造物であり、前記メッシュ構造物は、前記有孔板に隣接して配置されているが、それからわずかに間隔を置かれている、請求項１に記載のシャワーヘッド。
【請求項３】
前記固定メッシュ構造物は、前記有孔板から離れるほうに開いているボウル様クレードル部分を画定するように構成され、前記クレードル部分は、適切にサイズを決定および成形されたトリートメント錠剤が前記シャワーヘッド内に最初に挿入されるとき、前記錠剤が前記有孔板に向かって移動するように前記錠剤を配置するように作動する、請求項２に記載のシャワーヘッド。
【請求項４】
前記メッシュ構造物は、前記錠剤をカプセルに包み、ポッドを形成するように構成され、それによって、前記メッシュポッド全体が、前記乱流内で移動し、前記錠剤は、すり減る様式で前記メッシュポッド内で移動し、それによって、前記錠剤は、前記有孔板から退出する前記水流中に分散させられる、請求項１に記載のシャワーヘッド。
【請求項５】
前記水入口開口部は、前記有孔板に略平行であり、それから間隔を置かれた平面内で前記中空本体の中に水を送達するように構成されている、請求項３に記載のシャワーヘッド。
【請求項６】
前記中空本体の内部形状は、回転水流路が作成されるように構成され、前記回転水流路は、少なくとも部分的に前記有孔板に接線方向に前記本体内で周回する、請求項５に記載のシャワーヘッド。
【請求項７】
前記水流を曝気する手段をさらに備えている、請求項６に記載のシャワーヘッド。
【請求項８】
前記有孔板は、空気を前記中空本体の中に取り込むように構成されている、請求項７に記載のシャワーヘッド。
【請求項９】
前記中空本体の上流に位置する前処理チャンバ内に微粒子状物質を閉じ込めるように配置することによって曝気が達成され、それによって、前記微粒子状物質の周囲でのこのチャンバを通した水の通行は、空気の気泡が作成されることを引き起こし、前記空気の気泡は、前記水とともに前記中空本体の中に入る、請求項８に記載のシャワーヘッド。
【請求項１０】
前記微粒子状物質は、その性質を強化するために前記水と相互作用もする材料を含む、請求項９に記載のシャワーヘッド。
【請求項１１】
不要な不純物を濾過して除去する手段をさらに備えている、請求項１０に記載のシャワーヘッド。
【請求項１２】
使用時、前記水が上側領域から前記中空本体に進入し、それによって、滝様流れを作成し、次に、前記滝様流れが、前記中空本体内の下側のぬれた面と衝突することによってレナード効果を強化し、負イオンを生産するように構成されている、請求項３に記載のシャワーヘッド。
【請求項１３】
前記シャワーヘッドおよびその中で使用される崩壊性錠剤は、典型的な圧力および毛髪洗浄温度における温水供給源との使用中、錠剤が、約２〜４分で崩壊し、水分散トリートメントの流動をユーザに提供するように構成されている、請求項３に記載のシャワーヘッド。
【請求項１４】
前記狭い制限された水入口は、約１０〜１４ｍｍの最大長および約２〜３ｍｍの最大幅を有する断面を有する、請求項１に記載のシャワーヘッド。
【手続補正２】
【補正対象書類名】明細書
【補正対象項目名】０００８
【補正方法】変更
【補正の内容】
【０００８】
（シャワーヘッド装置）
第１の側面によると、本発明は、水崩壊性錠剤形態トリートメント源から連続用量の水分散トリートメントを送達するように構成されたシャワーヘッドを提供し、シャワーヘッドは、
１つの領域における狭い制限された水入口開口部と別の領域における水出口とを有する中空の閉塞されていないシャワーヘッド本体であって、水出口は、有孔板によって画定されている、中空の閉塞されていないシャワーヘッド本体と、
水入口開口部と有孔板との間の中空本体内に配置されたメッシュ構造物と
を含み、
狭い制限された水入口開口部は、有孔板に向かって略傾斜されている中空本体の後壁に密接に隣接して退出し、中空本体の全体的形状と有孔板の構成との組み合わせは、使用時、有孔板を通って退出することに先立って閉塞されていない中空のシャワーヘッド本体内で加圧された回転する乱流水流を生成し、メッシュ構造物は、中空本体と共に、有孔板を通して外への加圧された回転する乱流水流に最小の乱れを提供するように構成され、それによって、使用に先立ち中空本体の中に導入された好適に構成された水崩壊性固体錠剤形態トリートメント源が、回転する乱流水流によって、すり減る様式でメッシュ構造物に対して攪拌されるように、実質的に水流を閉塞せずに閉塞されていない中空本体内でおよびそれにわたって自由に移動し、それによって、有孔板から退出する水流中に分散させられる。
【手続補正３】
【補正対象書類名】明細書
【補正対象項目名】０２１１
【補正方法】変更
【補正の内容】
【０２１１】
本発明のスプレーのうちのいずれかは、追加の保存剤、防腐剤、軟化剤、芳香剤、活性剤、賦形剤、希釈剤、および着色剤も含み得ることが当業者によって理解されるであろう。
本願明細書は、例えば、以下の項目も提供する。
（項目１）
水崩壊性錠剤形態トリートメント源から連続用量の水分散トリートメントを送達するように構成されたハンドヘルドシャワーヘッドであって、前記シャワーヘッドは、
１つの領域における水入口開口部と別の領域における水出口とを有する中空本体であって、前記水出口は、有孔板によって画定されている、中空本体と、
前記水入口開口部と前記有孔板との間の前記中空本体内に配置されたメッシュ構造物と
を含み、
前記水入口開口部、中空本体、および有孔板は、使用時、水流が前記有孔板を通って退出することに先立って、前記中空本体内で加圧乱流水流を生成するように構成され、それによって、好適に構成された水崩壊性固体錠剤形態トリートメント源が、使用に先立ち前記中空本体の中に導入され、そして、前記トリートメント源は、前記乱流水流によって、すり減る様式で前記メッシュ構造物に対して攪拌され、それによって、前記有孔板から退出する前記水流中に分散させられる、シャワーヘッド。
（項目２）
前記メッシュ構造物は、固定メッシュ構造物であり、前記メッシュ構造物は、前記有孔板に隣接して配置されているが、それからわずかに間隔を置かれている、項目１に記載のシャワーヘッド。
（項目３）
前記固定メッシュ構造物は、前記有孔板から離れるほうに開いているボウル様クレードル部分を画定するように構成され、前記クレードル部分は、適切にサイズを決定および成形されたトリートメント錠剤が前記シャワーヘッド内に最初に挿入されるとき、前記錠剤が前記有孔板に向かって移動するように前記錠剤を配置するように作動する、項目２に記載のシャワーヘッド。
（項目４）
前記メッシュ構造物は、前記錠剤をカプセルに包み、ポッドを形成するように構成され、それによって、前記メッシュポッド全体が、前記乱流内で移動し、前記錠剤は、すり減る様式で前記メッシュポッド内で移動し、それによって、前記錠剤は、前記有孔板から退出する前記水流中に分散させられる、項目１に記載のシャワーヘッド。
（項目５）
前記水入口開口部は、前記有孔板に略平行であり、それから間隔を置かれた平面内で前記中空本体の中に水を送達するように構成されている、項目１−４のいずれか１項に記載のシャワーヘッド。
（項目６）
前記中空本体の内部形状は、回転水流路が作成されるように構成され、前記回転水流路は、少なくとも部分的に前記板に接線方向に前記本体内で周回する、項目１−５のいずれか１項に記載のシャワーヘッド。
（項目７）
前記メッシュは、前記中空本体内の通常の流動、および前記有孔板を通した通常の流動に最小の乱れを提供するように構成されている、項目１−６のいずれか１項に記載のシャワーヘッド。
（項目８）
前記水流を曝気する手段をさらに備えている、項目１−７のいずれか１項に記載のシャワーヘッド。
（項目９）
前記有孔板は、空気を前記中空本体の中に取り込むように構成されている、項目８に記載のシャワーヘッド。
（項目１０）
前記中空本体の上流に位置する前処理チャンバ内に微粒子状物質を閉じ込めるように配置することによって曝気が達成され、それによって、前記微粒子状物質の周囲でのこのチャンバを通した水の通行は、空気の気泡が作成されることを引き起こし、前記空気の気泡は、前記水とともに前記中空本体の中に入る、項目８または項目９に記載のシャワーヘッド。
（項目１１）
前記微粒子状物質は、その性質を強化するために前記水と相互作用もする材料を含む、項目１０に記載のシャワーヘッド。
（項目１２）
不要な不純物を濾過して除去する手段をさらに備えている、項目１−１１のいずれか１項に記載のシャワーヘッド。
（項目１３）
使用時、前記水が上側領域から前記中空本体に進入し、それによって、滝様流れを作成し、次に、前記滝様流れが、前記中空本体内の下側のぬれた面と衝突することによってレナード効果を強化し、負イオンを生産するように構成されている、項目１−１２のいずれか１項に記載のシャワーヘッド。
（項目１４）
前記シャワーヘッドおよびその中で使用される崩壊性錠剤は、典型的な圧力および毛髪洗浄温度における温水供給源との使用中、錠剤が、約２〜４分で崩壊し、水分散トリートメントの流動をユーザに提供するように構成されている、項目１−１３のいずれか１項に記載のシャワーヘッド。
（項目１５）
乳化剤と、増粘剤と、油と、レオロジー改質剤とを含む水崩壊性錠剤。
（項目１６）
レオロジー改質剤は、カルボマー、グリセロールエステル、およびポリエチレングリコールから成る群から選択される水溶性有機分子である、項目１５に記載の錠剤。
（項目１７）
３０％〜４５％（重量比）ポリエチレングリコールを含む、項目１６に記載の錠剤。
（項目１８）
少なくとも１つの非イオン性乳化剤と、１つのカチオン性乳化剤とを含む、項目１５−１７のいずれか１項に記載の錠剤。
（項目１９）
セテアリルアルコール、セテアレス、Ｔｗｅｅｎ乳化剤、ノニルフェニルエトキシレート、アルコールアルコキシレート、アルコールエトキシレート、および第４級アンモニウム化合物から成る群から選択される２つ以上の異なる乳化剤を含む、項目１８に記載の錠剤。
（項目２０）
前記錠剤中の乳化剤の全濃度は、約１０％〜２０％（重量比）である、項目１８または項目１９に記載の錠剤。
（項目２１）
前記増粘剤は、脂質が豊富な作用物質である、項目１５−２０のいずれか１項に記載の錠剤。
（項目２２）
前記脂質が豊富な作用物質は、水添ヒマシ油である、項目２１に記載の錠剤。
（項目２３）
１％〜１０％水添ヒマシ油を含む、項目２２に記載の錠剤。
（項目２４）
前記油は、植物油である、項目１５−２３のいずれか１項に記載の錠剤。
（項目２５）
ココナッツ油、マカダミア油、シア油／バター、オリーブ油、マルラ油、ペパーミント油、麦芽油、アルガン油、ツバキ油、ヒマシ油、ホホバ油、ラズベリー種子油、およびニンジン種子油から成る群から選択される少なくとも１つの植物油を含む、項目２４に記載の錠剤。
（項目２６）
軟化剤をさらに含む、項目１５−２５のいずれか１項に記載の錠剤。
（項目２７）
保存剤をさらに含む、項目１５−２６のいずれか１項に記載の錠剤。
（項目２８）
ＵＶＲフィルタリング剤をさらに含む、項目１５−２７のいずれか１項に記載の錠剤。
（項目２９）
非イオン性乳化剤と、カチオン性乳化剤と、水溶性有機レオロジー改質剤と、脂質が豊富な増粘剤と、タンパク質抽出物と、タンパク質が豊富な油と、少なくとも１つの他の植物油とを含む、項目１５に記載の錠剤。
（項目３０）
約１０％〜１５％（重量比）の濃度における非イオン性乳化剤と、約５％〜１０％（重量比）の濃度におけるカチオン性乳化剤と、約４０％〜４５％（重量比）の濃度における水溶性有機レオロジー改質剤と、約１％〜３％（重量比）の濃度における脂質が豊富な増粘剤と、約０．５％〜２％（重量比）の濃度におけるタンパク質抽出物と、約１％〜５％（重量比）の濃度におけるタンパク質が豊富な油と、約５％〜１５％（重量比）の濃度における少なくとも１つの他の植物油とを含む、項目２９に記載の錠剤。
（項目３１）
非イオン性乳化剤と、カチオン性乳化剤と、水溶性有機レオロジー改質剤と、脂質が豊富な増粘剤と、植物油と、ＵＶＲフィルタリング剤とを含む、項目１５に記載の錠剤。
（項目３２）
約１０％〜１５％（重量比）の濃度における非イオン性乳化剤と、約５％〜１０％（重量比）の濃度におけるカチオン性乳化剤と、約４０％〜４５％（重量比）の濃度における水溶性有機レオロジー改質剤と、約１％〜３％（重量比）の濃度における脂質が豊富な増粘剤と、約０．５％〜２％（重量比）の濃度におけるＵＶＲフィルタリング剤と、約１０％〜２０％（重量比）の濃度における植物油とを含む、項目３１に記載の錠剤。
（項目３３）
非イオン性乳化剤と、カチオン性乳化剤と、水溶性有機レオロジー改質剤と、脂質が豊富な増粘剤と、植物油とを含む、項目１５に記載の錠剤。
（項目３４）
約１０％〜１５％（重量比）の濃度における非イオン性乳化剤と、約５％〜１０％（重量比）の濃度におけるカチオン性乳化剤と、約４０％〜４５％（重量比）の濃度における水溶性有機レオロジー改質剤と、約１％〜３％（重量比）の濃度における脂質が豊富な増粘剤と、約１０％〜２０％（重量比）の濃度における植物油とを含む、項目３３に記載の錠剤。
（項目３５）
発泡剤と、非イオン性界面活性剤と、崩壊剤とを含む毛髪を浄化するための水溶性クレンジング錠剤。
（項目３６）
前記発泡剤は、アニオン性界面活性剤を含む、項目３５に記載のクレンジング錠剤。
（項目３７）
前記崩壊剤は、架橋ポリマーまたは改質デンプンもしくはセルロース製品である、項目３５または項目３６に記載のクレンジング錠剤。
（項目３８）
前記非イオン性界面活性剤は、両親媒性配糖体である、項目３５−３７のいずれか１項に記載のクレンジング錠剤。
（項目３９）
非イオン性乳化剤と、カチオン性乳化剤と、カチオン性シリコーンエマルションとを含む、本発明の錠剤のうちの１つ以上のものを用いて毛髪を浄化および／またはトリートメントした後の使用のためのトリートメントスプレー。
（項目４０）
前記カチオン性シリコーンエマルションは、シリコーンと、カチオン性アミン乳化剤と、レオロジー改質剤とを含む、項目３９に記載のトリートメントスプレー。
（項目４１）
アニオン性乳化剤と、カチオン性乳化剤と、増粘剤と、植物油とを含む、本発明の錠剤のうちの１つ以上のものを用いて毛髪を浄化および／またはトリートメントした後の使用のためのクリームスプレー。
（項目４２）
前記カチオン性乳化剤は、第４級アンモニウム化合物である、項目４１に記載のクリームスプレー。
（項目４３）
前記アニオン性乳化剤は、グリセロールエステルまたはその誘導体、またはココイルイセチオン酸ナトリウム、またはそれらの組み合わせである、項目４１または項目４２に記載のクリームスプレー。
（項目４４）
前記増粘剤は、脂質が豊富な作用物質である、項目４１−４３のいずれか１項に記載のクリームスプレー。
（項目４５）
シリコーンまたはその誘導体と、ＵＶＲフィルタリング剤と、植物油とを含む、本発明の錠剤のうちの１つ以上のものを用いて毛髪を浄化および／またはトリートメントした後の使用のための仕上げスプレー。
（項目４６）
前記シリコーンは、有機ケイ素化合物である、項目４５に記載の仕上げスプレー。
（項目４７）
項目１−１４のいずれか１項に記載のシャワーヘッド内での使用のための項目１５−３８のいずれか１項に記載の錠剤。
【国際調査報告】
2020507367.tif 000015
2020507367.tif 000016
2020507367.tif 000017
2020507367.tif 000018
2020507367.tif 000019